(57)【要約】【課題】簡素な構成で無給水加湿を実現可能な加湿器、および空調装置を提供する。【解決手段】加湿器１６は、水分を吸着して脱離することが可能に構成された筒状の吸着器２０と、吸着器２０の流通路２１の両端部の位置が変位するように、吸着器２０を回転させる回転駆動部材２６と、を備える。回転駆動部材２６は、加湿時に、流通路２１を介して温風導入部１８３と加湿用導出部１８５とが連通すると共に、吸着器２０の側面壁部２２によって冷風導入部１８２と除湿用導出部１８４との連通が遮断される位置に吸着器２０を回転させる。そして、回転駆動部材２６は、水分回収時に、流通路２１を介して冷風導入部１８２と除湿用導出部１８４とが連通すると共に、吸着器２０の側面壁部２２によって温風導入部１８３と加湿用導出部１８５との連通が遮断される位置に吸着器２０を回転させる。【選択図】図１
2018162963.tif 000002
【特許請求の範囲】
【請求項１】
加湿対象空間（ＴＳ）を加湿する加湿器であって、
内部に空気が流通可能な流通路（２１、２１Ａ、７３）が形成されると共に、前記流通路を通過する空気に含まれる水分を吸着して脱離することが可能に構成された筒状の吸着器（２０、２０Ａ、７２）と、
前記流通路の両端部の位置が変位するように、前記吸着器を回転させる回転駆動部材（２６、８０）と、
前記吸着器を回転可能に収容する収容ケース（１８、１８Ａ、５２）と、を備え、
前記収容ケースには、冷風を導入する冷風導入部（１８２、１８２Ａ、５２２）、温風を導入する温風導入部（１８３、１８３Ａ、５２１）、前記吸着器から脱離した水分によって加湿された加湿空気を前記加湿対象空間に向けて導出する加湿用導出部（１８５、１８５Ａ、５２４ｂ）、前記吸着器にて水分が吸着された除湿空気を導出する除湿用導出部（１８４、１８４Ａ、５２４ｃ）が形成されており、
前記回転駆動部材は、
前記加湿対象空間の加湿時に、前記流通路を介して前記温風導入部と前記加湿用導出部とが連通すると共に、前記吸着器の側面壁部（２２、２２Ａ、７４）によって前記冷風導入部と前記除湿用導出部との連通が遮断される加湿位置に前記吸着器を回転させ、
前記吸着器に対して水分を吸着させる水分回収時に、前記流通路を介して前記冷風導入部と前記除湿用導出部とが連通すると共に、前記吸着器の側面壁部によって前記温風導入部と前記加湿用導出部との連通が遮断される水分回収位置に前記吸着器を回転させる加湿器。
【請求項２】
前記回転駆動部材は、前記加湿対象空間の加湿および前記吸着器への水分の回収の停止時に、前記吸着器の側面壁部によって前記温風導入部と前記加湿用導出部との連通が遮断されると共に、前記吸着器の側面壁部によって前記冷風導入部と前記除湿用導出部との連通が遮断される停止位置に前記吸着器を回転させる請求項１に記載の加湿器。
【請求項３】
前記温風導入部（１８３、５２１）および前記加湿用導出部（１８５、５２４ｂ）は、前記収容ケース（１８、５２）における前記吸着器（２０、７２）の回転中心を挟んで対向する部位に形成されており、
前記冷風導入部（１８２、５２２）および前記除湿用導出部（１８４、５２４ｃ）は、前記収容ケースにおける前記吸着器の回転中心を挟んで対向する部位に形成されており、
前記流通路（２１、７３）は、前記吸着器の回転中心を跨ぐように直線状に延びている請求項１または２に記載の加湿器。
【請求項４】
室内を空調する空調装置であって、
外殻を構成する空調ケース（５２）と、
前記空調ケースの内部に収容され、前記室内に吹き出す空気を冷却する冷却器（５４）と、
前記空調ケースの内部に収容され、前記室内に吹き出す空気を加熱する加熱器（５６）と、
前記冷却器および前記加熱器の少なくとも一方で温度調整された空気を利用して前記室内を加湿する加湿器（７０）と、を備え、
前記空調ケースには、前記冷却器で冷却された冷風が流れる冷風通路（５２２）および前記加熱器で加熱された温風が流れる温風通路（５２１）が形成されると共に、前記室内に空気を吹き出す複数の吹出開口部（５２４ａ〜５２４ｃ）が形成されており、
前記加湿器は、前記冷風通路および前記温風通路と前記複数の吹出開口部との間に配置され、内部に空気が流通可能な流通路（７３）が形成されると共に、前記流通路を通過する空気に含まれる水分を吸着して脱離することが可能に構成された筒状の吸着器（７２）と、
前記流通路の両端部の位置が変位するように、前記吸着器を回転させる回転駆動部材（８０）と、を含んで構成されており、
前記複数の吹出開口部には、前記吸着器から脱離した水分によって加湿された加湿空気を吹き出す加湿用開口部（５２４ｂ）、前記吸着器にて水分が吸着された除湿空気を吹き出す除湿用開口部（５２４ｃ）が含まれており、
前記回転駆動部材は、
前記室内の加湿時に、前記流通路を介して前記温風通路と前記加湿用開口部とが連通すると共に、前記吸着器の側面壁部（７４）によって前記冷風通路と前記除湿用開口部との連通が遮断される加湿位置に前記吸着器を回転させ、
前記吸着器に対して水分を吸着させる水分回収時に、前記流通路を介して前記冷風通路と前記除湿用開口部とが連通すると共に、前記吸着器の側面壁部によって前記温風通路と前記加湿用開口部との連通が遮断される水分回収位置に前記吸着器を回転させる空調装置。
【請求項５】
前記冷風通路および前記温風通路と前記複数の吹出開口部との間には、前記冷風通路および前記温風通路の通路開度を調整する円弧状の調整板部（６２１）および前記複数の吹出開口部を開閉する円弧状の開閉板部（６４３〜６４５）を含んで構成されるロータリドア（６０）が配置されており、
前記吸着器は、前記冷風通路を流れる冷風と前記温風通路を流れる温風とを混合させる混合空間（５２３）が確保されるように、前記ロータリドアの内部に配置されており、
前記調整板部には、前記吸着器を回転させた際に前記流通路の一端部に設けられた空気流入口（７３１）と重なり合う部位に、表裏を貫通する調整側貫通穴（６２１ａ）が形成されており、
前記開閉板部には、前記吸着器を回転させた際に前記流通路の他端部に設けられた空気流出口（７３２）と重なり合う部位に、表裏を貫通する開閉側貫通穴（６４３ａ〜６４５ａ）が形成されている請求項４に記載の空調装置。
【請求項６】
加湿対象空間（ＴＳ）を加湿する加湿器であって、
空気に含まれる水分を吸着して脱離することが可能に構成された吸着器（２０、２０Ａ、２０Ｂ、７２）と、
前記吸着器を変位させる駆動部材（２６、２６Ｂ、８０）と、
前記吸着器を収容する収容ケース（１８、１８Ａ、１８Ｂ、５２）と、を備え、
前記収容ケースには、冷風を導入する冷風導入部（１８２、１８２Ａ、１８２Ｂ、５２２２、７１２）、温風を導入する温風導入部（１８３、１８３Ａ、１８３Ｂ、５２１、７１３）、前記吸着器から脱離した水分によって加湿された加湿空気を前記加湿対象空間に向けて導出する加湿用導出部（１８５、１８５Ａ、１８５Ｂ、５２４ｂ、７１５）、前記吸着器にて水分が吸着された除湿空気を導出する除湿用導出部（１８４、１８４Ａ、１８４Ｂ、５２４ｃ、７１４）が形成されており、
前記吸着器は、前記冷風導入部および前記温風導入部の一方の導入部と前記加湿用導出部および前記除湿用導出部の一方の導出部とを連通させる空気通路部（２１、２１Ａ、２１Ｂ）、前記冷風導入部および前記温風導入部の他方の導入部と前記加湿用導出部および前記除湿用導出部の他方の導出部とを閉塞する閉塞部（２２、２２Ａ、７４、１９１、１９２）を含んで構成され、さらに、前記空気通路部および前記閉塞部が一体の構造物として構成されており、
前記空気通路部には、吸着物質を有する吸着部（２３）が設けられており、
前記駆動部材は、
前記加湿対象空間の加湿時に、前記空気通路部を介して前記温風導入部と前記加湿用導出部とが連通すると共に、前記閉塞部によって前記冷風導入部と前記除湿用導出部との連通が遮断される加湿位置に前記吸着器を変位させ、
前記吸着器に対して水分を吸着させる水分回収時に、前記空気通路部を介して前記冷風導入部と前記除湿用導出部とが連通すると共に、前記閉塞部によって前記温風導入部と前記加湿用導出部との連通が遮断される水分回収位置に前記吸着器を変位させる加湿器。
【請求項７】
室内を空調する空調装置であって、
外殻を構成する空調ケース（５２）と、
前記空調ケースの内部に収容され、前記室内に吹き出す空気を冷却する冷却器（５４）と、
前記空調ケースの内部に収容され、前記室内に吹き出す空気を加熱する加熱器（５６）と、
前記冷却器および前記加熱器の少なくとも一方で温度調整された空気を利用して前記室内を加湿する加湿器（７０Ａ）と、を備え、
前記空調ケースには、前記冷却器で冷却された冷風が流れる冷風通路（５２２Ａ、５２２Ｂ）および前記加熱器で加熱された温風が流れる温風通路（５２１Ａ、５２１Ｂ）が形成されると共に、前記室内に空気を吹き出す複数の吹出開口部（５２４ａ〜５２４ｃ）が形成されており、
前記加湿器は、
空気に含まれる水分を吸着して脱離することが可能に構成された吸着器（７２）と、
前記吸着器を変位させる駆動部材（８０）と、
前記吸着器を収容する収容ケース（７１）と、を備え、
前記収容ケースには、前記冷風通路を流れる冷風を導入する冷風導入部（７１２）、前記温風通路を流れる温風を導入する温風導入部（７１３）、前記吸着器から脱離した水分によって加湿された加湿空気を前記室内に向けて導出する加湿用導出部（７１５）、前記吸着器にて水分が吸着された除湿空気を導出する除湿用導出部（７１４）が形成されており、
前記吸着器は、前記冷風導入部および前記温風導入部の一方の導入部と前記加湿用導出部および前記除湿用導出部の一方の導出部とを連通させる空気通路部（７４０）、前記冷風導入部および前記温風導入部の他方の導入部と前記加湿用導出部および前記除湿用導出部の他方の導出部とを閉塞する閉塞部（７４）を含んで構成され、
前記空気通路部には、吸着物質を有する吸着部（７６）が設けられており、
前記駆動部材は、
前記室内の加湿時に、前記空気通路部を介して前記温風導入部と前記加湿用導出部とが連通すると共に、前記閉塞部によって前記冷風導入部と前記除湿用導出部との連通が遮断される加湿位置に前記吸着器を変位させ、
前記吸着器に対して水分を吸着させる水分回収時に、前記空気通路部を介して前記冷風導入部と前記除湿用導出部とが連通すると共に、前記閉塞部によって前記温風導入部と前記加湿用導出部との連通が遮断される水分回収位置に前記吸着器を変位させる空調装置。
【発明の詳細な説明】
【技術分野】
【０００１】
本開示は、加湿器および空調装置に関する。
【背景技術】
【０００２】
従来、無給水で加湿可能な加湿装置が知られている（例えば、特許文献１参照）。この特許文献１には、水分を吸収し脱離する吸着器、空気流路を開閉するドア、ドアを制御して吸着器に水分を吸着させる除湿モードおよび吸着器から空気に水分を移動させて加湿する加湿モードを設定する制御装置を含んで構成される加湿装置が開示されている。
【先行技術文献】
【特許文献】
【０００３】
【特許文献１】特開２０１５−２１７９１７号公報
【発明の概要】
【発明が解決しようとする課題】
【０００４】
本発明者らは、特許文献１に記載の加湿装置について鋭意検討したところ、除湿モードおよび加湿モードを設定するために、吸着器の上流側および下流側の双方に空気流路を開閉するドアが必要となることで、加湿装置の構造が複雑となってしまうことが判った。
【０００５】
本開示は上記点に鑑みて、簡素な構成で無給水加湿を実現可能な加湿器、および空調装置を提供することを目的とする。
【課題を解決するための手段】
【０００６】
上記目的を達成するため、請求項１に記載の発明は、加湿器であって、内部に空気が流通可能な流通路（２１、２１Ａ、７３）が形成されると共に、流通路を通過する空気に含まれる水分を吸着して脱離することが可能に構成された筒状の吸着器（２０、２０Ａ、７２）を備える。
【０００７】
加湿器は、流通路の両端部の位置が変位するように、吸着器を回転させる回転駆動部材（２６、８０）と、吸着器を回転可能に収容する収容ケース（１８、１８Ａ、５２）と、を備える。
【０００８】
収容ケースには、冷風を導入する冷風導入部（１８２、１８２Ａ、５２２）、温風を導入する温風導入部（１８３、１８３Ａ、５２１）、吸着器から脱離した水分によって加湿された加湿空気を加湿対象空間に向けて導出する加湿用導出部（１８５、１８５Ａ、５２４ｂ）、吸着器にて水分が吸着された除湿空気を導出する除湿用導出部（１８４、１８４Ａ、５２４ｃ）が形成されている。
【０００９】
回転駆動部材は、加湿対象空間の加湿時に、流通路を介して温風導入部と加湿用導出部とが連通すると共に、吸着器の側面壁部（２２、２２Ａ、７４）によって冷風導入部と除湿用導出部との連通が遮断される加湿位置に吸着器を回転させる。
【００１０】
回転駆動部材は、吸着器に対して水分を吸着させる水分回収時に、流通路を介して冷風導入部と除湿用導出部とが連通すると共に、吸着器の側面壁部によって温風導入部と加湿用導出部との連通が遮断される水分回収位置に吸着器を回転させる。
【００１１】
これによると、冷風に含まれる水分を吸着器に吸着させると共に、温風によって吸着器に吸着された水分を脱離させることができるので、加湿対象空間を無給水で加湿することができる。
【００１２】
特に、上記加湿器は、収容ケースの内部で吸着器を回転させることで、収容ケースに導入する冷風と温風の切り替え、および収容ケースから導出する除湿空気と加湿空気の切り替えを実施可能となっている。すなわち、上記加湿器は、吸着器自体を、従来まで別部品で構成されていた収容ケースの内部における空気の導入および導出を切り替える切替手段として機能させることができる。
【００１３】
したがって、上記加湿器は、背景技術で説明した加湿器に比べて、部品点数を減少させることができるので、簡素な構成で無給水加湿を実現することが可能となる。
【００１４】
また、請求項４に記載の発明は、空調装置であって、外殻を構成する空調ケース（５２）と、空調ケースの内部に収容され、室内に吹き出す空気を冷却する冷却器（５４）と、空調ケースの内部に収容され、室内に吹き出す空気を加熱する加熱器（５６）と、を備える。空調装置は、冷却器および加熱器の少なくとも一方で温度調整された空気を利用して室内を加湿する加湿器（７０）を備える。
【００１５】
空調ケースには、冷却器で冷却された冷風が流れる冷風通路（５２２）および加熱器で加熱された温風が流れる温風通路（５２１）が形成されると共に、室内に空気を吹き出す複数の吹出開口部（５２４ａ〜５２４ｃ）が形成されている。
【００１６】
加湿器は、冷風通路および温風通路と複数の吹出開口部との間に配置され、内部に空気が流通可能な流通路（７３）が形成されると共に、流通路を通過する空気に含まれる水分を吸着して脱離することが可能に構成された筒状の吸着器（７２）を有する。また、加湿器は、流通路の両端部の位置が変位するように、吸着器を回転させる回転駆動部材（８０）を有する。
【００１７】
複数の吹出開口部には、吸着器から脱離した水分によって加湿された加湿空気を吹き出す加湿用開口部（５２４ｂ）、吸着器にて水分が吸着された除湿空気を吹き出す除湿用開口部（５２４ｃ）が含まれている。
【００１８】
回転駆動部材は、室内の加湿時に、流通路を介して温風通路と加湿用開口部とが連通すると共に、吸着器の側面壁部（７４）によって冷風通路と除湿用開口部との連通が遮断される加湿位置に吸着器を回転させる。
【００１９】
回転駆動部材は、吸着器に対して水分を吸着させる水分回収時に、流通路を介して冷風通路と除湿用開口部とが連通すると共に、吸着器の側面壁部によって温風通路と加湿用開口部との連通が遮断される水分回収位置に吸着器を回転させる。
【００２０】
これによると、冷却器で生成された冷風に含まれる水分を吸着器に吸着させると共に、加熱器で生成された温風によって吸着器に吸着された水分を脱離させることができるので、空調対象となる室内を無給水で加湿することができる。
【００２１】
また、加湿器は、吸着器自体が、従来まで別部品で構成されていた空気の導入および導出を切り替える切替手段として機能するので、背景技術で説明した加湿器に比べて、部品点数を減少させることができる。
【００２２】
さらに、室内に吹き出す空気を冷却する冷却器および室内に吹き出す空気を加熱する加熱器を、吸着器に導入する冷風および温風の生成手段として利用しているので、加湿器自体に冷風および温風の生成手段を追加する必要がない。
【００２３】
したがって、上記空調装置は、部品点数を減少させることができるので、簡素な構成で無給水加湿を実現することが可能となる。
【００２４】
また、請求項６に記載の発明は、加湿器であって、空気に含まれる水分を吸着して脱離することが可能に構成された吸着器（２０、２０Ａ、２０Ｂ、７０）と、吸着器を変位させる駆動部材（２６、２６Ｂ、８０）と、吸着器を収容する収容ケース（１８、１８Ａ、１８Ｂ、５２）と、を備える。収容ケースには、冷風を導入する冷風導入部（１８２、１８２Ａ、１８２Ｂ、５２２、７１２）、温風を導入する温風導入部（１８３、１８３Ａ、１８３Ｂ、５２１、７１３）、吸着器から脱離した水分によって加湿された加湿空気を加湿対象空間に向けて導出する加湿用導出部（１８５、１８５Ａ、１８５Ｂ、５２４ｂ、７１５）、吸着器にて水分が吸着された除湿空気を導出する除湿用導出部（１８４、１８４Ａ、１８４Ｂ、５２４ｃ、７１４）が形成されている。吸着器は、空気通路部（２１、２１Ａ、２１Ｂ）、および閉塞部（２２、２２Ａ、７４、１９１、１９２）を含んで構成される。空気通路部は、冷風導入部および温風導入部の一方の導入部と加湿用導出部および除湿用導出部の一方の導出部とを連通させるものである。閉塞部は、冷風導入部および温風導入部の他方の導入部と加湿用導出部および除湿用導出部の他方の導出部とを閉塞するものである。空気通路部および閉塞部は一体の構造物として構成されている。空気通路部には、吸着物質を有する吸着部（２３）が設けられている。駆動部材は、加湿対象空間の加湿時に、空気通路部を介して温風導入部と加湿用導出部とが連通すると共に、閉塞部によって冷風導入部と除湿用導出部との連通が遮断される加湿位置に吸着器を変位させる。また、駆動部材は、吸着器に対して水分を吸着させる水分回収時に、空気通路部を介して冷風導入部と除湿用導出部とが連通すると共に、閉塞部によって温風導入部と加湿用導出部との連通が遮断される水分回収位置に吸着器を変位させる。
【００２５】
これによると、冷風に含まれる水分を吸着器に吸着させると共に、温風によって吸着器に吸着された水分を脱離させることができるので、加湿対象空間を無給水で加湿することができる。
【００２６】
特に、上記加湿器は、収容ケースの内部で吸着器を変位させることで、収容ケースに導入する冷風と温風の切り替え、および収容ケースから導出する除湿空気と加湿空気の切り替えを実施可能となっている。すなわち、上記加湿器は、吸着器自体を、従来まで別部品で構成されていた収容ケースの内部における空気の導入および導出を切り替える切替手段として機能させることができる。
【００２７】
また、請求項７に記載の発明は、空調装置であって、外殻を構成する空調ケース（５２）と、空調ケースの内部に収容され、室内に吹き出す空気を冷却する冷却器（５４）と、空調ケースの内部に収容され、室内に吹き出す空気を加熱する加熱器（５６）と、を備える。また、空調装置は、冷却器および加熱器の少なくとも一方で温度調整された空気を利用して室内を加湿する加湿器（７０）を備える。空調ケースには、冷却器で冷却された冷風が流れる冷風通路（５２２Ａ、５２２Ｂ）および加熱器で加熱された温風が流れる温風通路（５２１Ａ、５２１Ｂ）が形成されると共に、室内に空気を吹き出す複数の吹出開口部（５２４ａ〜５２４ｃ）が形成されている。加湿器は、空気に含まれる水分を吸着して脱離することが可能に構成された吸着器（７２）と、吸着器を変位させる駆動部材（８０）と、吸着器を収容する収容ケース（７１）と、を備える。収容ケースには、冷風導入部（７１２）、温風導入部（７１３）、加湿用導出部（７１５）、除湿用導出部（７１４）が形成されている。冷風導入部は、冷風通路を流れる冷風を導入するものである。温風導入部は、温風通路を流れる温風を導入するものである。加湿用導出部は、吸着器から脱離した水分によって加湿された加湿空気を室内に向けて導出するものである。除湿用導出部は、吸着器にて水分が吸着された除湿空気を導出するものである。吸着器は、空気通路部（７４０）および閉塞部（７４）を含んで構成される。空気通路部は、冷風導入部および温風導入部の一方の導入部と加湿用導出部および除湿用導出部の一方の導出部とを連通させるものである。閉塞部は、冷風導入部および温風導入部の他方の導入部と加湿用導出部および除湿用導出部の他方の導出部とを閉塞するものである。空気通路部には、吸着物質を有する吸着部（７６）が設けられている。駆動部材は、加湿対象空間の加湿時に、空気通路部を介して温風導入部と加湿用導出部とが連通すると共に、閉鎖部によって冷風導入部と除湿用導出部との連通が遮断される加湿位置に吸着器を変位させる。駆動部材は、吸着器に対して水分を吸着させる水分回収時に、空気通路部を介して冷風導入部と除湿用導出部とが連通すると共に、閉塞部によって温風導入部と加湿用導出部との連通が遮断される水分回収位置に吸着器を変位させる。
【００２８】
これによると、冷却器で生成された冷風に含まれる水分を吸着器に吸着させると共に、加熱器で生成された温風によって吸着器に吸着された水分を脱離させることができるので、空調対象となる室内を無給水で加湿することができる。
【００２９】
また、加湿器は、吸着器自体が、従来まで別部品で構成されていた空気の導入および導出を切り替える切替手段として機能するので、背景技術で説明した加湿器に比べて、部品点数を減少させることができる。
【００３０】
さらに、室内に吹き出す空気を冷却する冷却器および室内に吹き出す空気を加熱する加熱器を、吸着器に導入する冷風および温風の生成手段として利用しているので、加湿器自体に冷風および温風の生成手段を追加する必要がない。
【００３１】
なお、この欄および特許請求の範囲で記載した各手段の括弧内の符号は、後述する実施形態に記載の具体的手段との対応関係の一例を示すものである。
【図面の簡単な説明】
【００３２】
【図１】第１実施形態の加湿装置の模式的な全体構成図である。
【図２】第１実施形態の加湿装置に用いられる収容ケースの模式的な斜視図である。
【図３】第１実施形態の加湿装置に用いられる吸着器の模式的な斜視図である。
【図４】第１実施形態の加湿装置に用いられる吸着器の模式的な正面図である。
【図５】第１実施形態の加湿装置の制御装置を示すブロック図である。
【図６】第１実施形態の加湿装置における水分回収時の作動を説明するための説明図である。
【図７】第１実施形態の加湿装置における加湿時の作動を説明するための説明図である。
【図８】第１実施形態の加湿装置における停止時の作動を説明するための説明図である。
【図９】第２実施形態の加湿装置に用いられる吸着器の模式的な斜視図である。
【図１０】第２実施形態の加湿装置における水分回収時の作動を説明するための説明図である。
【図１１】第２実施形態の加湿装置における加湿時の作動を説明するための説明図である。
【図１２】第２実施形態の加湿装置における停止時の作動を説明するための説明図である。
【図１３】第３実施形態の空調装置の空調ケースを加湿器が配置されていない位置で切断した際の断面構造を示す模式的な断面図である。
【図１４】第３実施形態の空調装置の空調ケースを加湿器が配置されている位置で切断した際の断面構造を示す模式的な断面図である。
【図１５】第３実施形態の空調装置のロータリドアを示す模式的な斜視図である。
【図１６】第３実施形態の空調装置に用いられる吸着器の模式的な斜視図である。
【図１７】第３実施形態の空調装置の制御装置を示すブロック図である。
【図１８】第３実施形態の空調装置における水分回収時の作動を説明するための説明図である。
【図１９】第３実施形態の空調装置における加湿時の作動を説明するための説明図である。
【図２０】第３実施形態の空調装置における停止時の作動を説明するための説明図である。
【図２１】第４実施形態の加湿器が取り付けられた空調装置の模式的な断面図である。
【図２２】第４実施形態の加湿器単体の模式的な断面を示す図面であって、加湿器における水分回収時の作動を説明するための説明図である。
【図２３】第４実施形態の加湿器単体の模式的な断面を示す図面であって、加湿器における加湿時の作動を説明するための説明図である。
【図２４】第５実施形態の加湿器の模式的な全体構成図である。
【図２５】第５実施形態の加湿器の吸着器および駆動部材を説明するための説明図である。
【図２６】第５実施形態の加湿器における水分回収時の作動を説明するための説明図である。
【図２７】第５実施形態の加湿器における加湿時の作動を説明するための説明図である。
【図２８】第６実施形態の加湿器の模式的な全体構成図である。
【図２９】第６実施形態の加湿器における水分回収時の作動を説明するための説明図である。
【図３０】第６実施形態の加湿器における加湿時の作動を説明するための説明図である。
【発明を実施するための形態】
【００３３】
以下、本開示の実施形態について図面を参照して説明する。なお、以下の実施形態において、先行する実施形態で説明した事項と同一もしくは均等である部分には、同一の参照符号を付し、その説明を省略する場合がある。また、実施形態において、構成要素の一部だけを説明している場合、構成要素の他の部分に関しては、先行する実施形態において説明した構成要素を適用することができる。以下の実施形態は、特に組み合わせに支障が生じない範囲であれば、特に明示していない場合であっても、各実施形態同士を部分的に組み合わせることができる。
【００３４】
（第１実施形態）
本実施形態について、図１〜図８を参照して説明する。本実施形態では、本開示の加湿器１６を、加湿対象空間ＴＳを加湿する加湿装置１０に適用した例について説明する。図１に示す加湿装置１０は、送風ユニット１２、配風ユニット１４、加湿器１６を含んで構成されている。
【００３５】
送風ユニット１２は、外殻を構成する送風ケース１２２を備えている。送風ケース１２２には、外部から空気を吸い込む空気吸込口１２２ａ、加湿器１６側に冷風を吹き出す冷風吹出口１２２ｂ、および加湿器１６側に温風を吹き出す温風吹出口１２２ｃが形成されている。
【００３６】
送風ケース１２２の内部には、空気を送風する送風機１２４が配置されている。送風機１２４は、回転軸の軸心に沿って空気を送風する軸流式の送風機で構成されている。なお、送風機１２４は、軸流式の送風機に限らず、例えば、遠心式の送風機や貫流式の送風機で構成されていてもよい。
【００３７】
また、送風ケース１２２の内部には、冷風吹出口１２２ｂおよび温風吹出口１２２ｃに近接する位置に、冷温風生成機１２６が設けられている。冷温風生成機１２６は、ペルチェ素子１２６ａ、吸熱フィン１２６ｂ、放熱フィン１２６ｃを含んで構成されている。
【００３８】
ペルチェ素子１２６ａは、板状に構成され、通電されることで一面側が吸熱すると共に、他面側が放熱する機能を有する素子である。ペルチェ素子１２６ａは、送風ケース１２２の内部における冷風吹出口１２２ｂと温風吹出口１２２ｃとの間に配置されている。
【００３９】
吸熱フィン１２６ｂは、ペルチェ素子１２６ａの吸熱面側に配置されている。吸熱フィン１２６ｂは、冷風吹出口１２２ｂに流れる空気が冷却されるように、冷風吹出口１２２ｂに対向する位置に配置されている。
【００４０】
放熱フィン１２６ｃは、ペルチェ素子１２６ａの放熱面側に配置されている。放熱フィン１２６ｃは、温風吹出口１２２ｃに流れる空気が加熱されるように、温風吹出口１２２ｃに対向する位置に配置されている。
【００４１】
このように構成される送風ユニット１２は、冷温風生成機１２６のペルチェ素子１２６ａに通電した状態で送風機１２４を稼働させることで、冷風吹出口１２２ｂから冷風を吹き出したり、温風吹出口１２２ｃから温風を吹き出したりすることが可能となっている。
【００４２】
続いて、配風ユニット１４は、加湿器１６で生成される除湿空気および加湿空気を所望の空間に配風するものである。配風ユニット１４は、加湿器１６で生成された加湿空気を加湿対象空間ＴＳに導く加湿ダクト１４２、加湿器１６で生成された除湿空気を加湿対象空間ＴＳの外部空間に排気する排気ダクト１４４を含んで構成されている。
【００４３】
続いて、加湿器１６は、加湿対象空間ＴＳを加湿するものである。加湿器１６は、外殻を構成する収容ケース１８、収容ケース１８に収容された吸着器２０を含んで構成されている。
【００４４】
収容ケース１８は、内部に吸着器２０が収容される収容部１８１、冷風を導入する冷風導入部１８２、温風を導入する温風導入部１８３、除湿空気を導出する除湿用導出部１８４、加湿空気を導出する加湿用導出部１８５を有している。
【００４５】
図１、図２に示すように、収容部１８１は、外形状が略円柱状の形状となっており、その内部に略円柱状の空間が形成されている。収容部１８１は、略円形状の一対の端面部１８１ａ、１８１ｂ、一対の端面部１８１ａ、１８１ｂ同士を繋ぐ外周面部１８１ｃを有している。
【００４６】
図２に示すように、収容部１８１は、一対の端面部１８１ａ、１８１ｂの略中心部に、後述する吸着器２０の回転軸２４を回転可能に支持する筒状の支持部１８１ｄ、１８１ｅが形成されている。
【００４７】
また、図１に示すように、収容部１８１は、外周面部１８１ｃに対して、冷風導入部１８２、温風導入部１８３、除湿用導出部１８４、および加湿用導出部１８５が接続されている。
【００４８】
冷風導入部１８２および温風導入部１８３は、互いに隣接すると共に同じ方向に延びている。冷風導入部１８２および温風導入部１８３それぞれは、略円筒状の形状となっている。なお、冷風導入部１８２および温風導入部１８３それぞれは、例えば、略角筒状の形状となっていてもよい。
【００４９】
冷風導入部１８２は、収容部１８１に冷風を導入するものである。冷風導入部１８２は、一端側が送風ケース１２２の冷風吹出口１２２ｂに接続され、他端側が収容部１８１の外周面部１８１ｃに接続されている。
【００５０】
温風導入部１８３は、収容部１８１に温風を導入するものである。温風導入部１８３は、一端側が送風ケース１２２の温風吹出口１２２ｃに接続され、他端側が収容部１８１の外周面部１８１ｃに接続されている。
【００５１】
除湿用導出部１８４および加湿用導出部１８５は、互いに隣接すると共に同じ方向に延びている。除湿用導出部１８４および加湿用導出部１８５それぞれは、略円筒状の形状となっている。なお、除湿用導出部１８４および加湿用導出部１８５それぞれは、例えば、略角筒状の形状となっていてもよい。
【００５２】
除湿用導出部１８４は、収容部１８１から除湿空気を導出するものである。除湿用導出部１８４は、一端側が収容部１８１の外周面部１８１ｃに接続され、他端側が排気ダクト１４４に接続されている。
【００５３】
具体的には、除湿用導出部１８４は、収容部１８１の外周面部１８１ｃのうち、後述する吸着器２０の回転軸２４の回転中心ＲＳを挟んで冷風導入部１８２の接続位置と対向する部位に接続されている。換言すれば、冷風導入部１８２および除湿用導出部１８４は、収容ケース１８における後述する吸着器２０の回転軸２４の回転中心ＲＳを挟んで互いに対向する部位に形成されている。
【００５４】
加湿用導出部１８５は、収容部１８１から加湿空気を導出するものである。加湿用導出部１８５は、一端側が収容部１８１の外周面部１８１ｃに接続され、他端側が加湿ダクト１４２に接続されている。
【００５５】
具体的には、加湿用導出部１８５は、収容部１８１の外周面部１８１ｃのうち、後述する吸着器２０の回転軸２４の回転中心ＲＳを挟んで温風導入部１８３の接続位置と対向する部位に接続されている。換言すれば、温風導入部１８３および加湿用導出部１８５は、収容ケース１８における後述する吸着器２０の回転軸２４の回転中心ＲＳを挟んで互いに対向する部位に形成されている。
【００５６】
収容ケース１８の収容部１８１には、吸着器２０が回転可能に収容されている。吸着器２０は、内部に空気が流通可能な流通路２１が形成されると共に、流通路２１を通過する空気に含まれる水分を吸着して脱離することが可能に構成されている。
【００５７】
吸着器２０は、外殻を構成する側面壁部２２、側面壁部２２の内部に設けられた吸着部２３、および側面壁部２２の外側に固定された回転軸２４を有している。
【００５８】
図３、図４に示すように、側面壁部２２は、その内部に空気が流通可能な流通路２１を形成する略円筒状の部材で構成されている。側面壁部２２の両端部には、流通路２１に空気を流入させる空気流入口２１１、および流通路２１に空気を流出させる空気流出口２１２が形成されている。なお、側面壁部２２は、空気流入口２１１および空気流出口２１２以外の部位から空気が透過しないように、高いガスバリア性が発揮される厚みを有している。
【００５９】
吸着部２３は、側面壁部２２の内部の流通路２１に設けられている。吸着部２３は、側面壁部２２と一体に構成されている。吸着部２３は、表面に吸着物質が担持された波板状の部材を含んで構成されている。吸着部２３は、通気性を有している。すなわち、吸着部２３は、空気が流通可能なように波板状の部材が配置されている。
【００６０】
ここで、吸着物質は、空気中の水分を吸着したり、吸着した水分を脱離して空気を加湿したりする特性を有する物質である。吸着物質としては、高分子吸着材、ゼオライト、シリカゲル等が採用されている。
【００６１】
回転軸２４は、側面壁部２２の外側に固定されている。回転軸２４は、側面壁部２２の外側のうち、空気流入口２１１と空気流出口２１２からの距離が略同等となる位置に固定されている。
【００６２】
回転軸２４は、その軸心が側面壁部２２の延在方向と略直交する方向に延びている。回転軸２４は、収容部１８１の一対の端面部１８１ａ、１８１ｂに設けられた支持部１８１ｄ、１８１ｅに回転可能に支持されている。
【００６３】
回転軸２４は、図２に示すように、収容部１８１の一対の端面部１８１ａ、１８１ｂから突き出ている。回転軸２４における収容部１８１から突き出た部位には、後述する回転駆動部材２６が接続されている。
【００６４】
ここで、図１に示すように、吸着器２０の流通路２１は、吸着器２０の回転中心ＲＳを構成する回転軸２４の軸心を跨ぐように直線状に延びている。そして、吸着器２０は、流通路２１の空気流入口２１１および空気流出口２１２が、収容部１８１の外周面部１８１ｃと対向するように、収容部１８１に収容されている。
【００６５】
また、吸着器２０は、側面壁部２２と収容部１８１の一対の端面部１８１ａ、１８１ｂとの間から空気が漏れ難くなるように構成されている。すなわち、吸着器２０は、側面壁部２２の外径が、一対の端面部１８１ａ、１８１ｂの間隔と略同等の大きさとなっている。
【００６６】
続いて、図２に示す回転駆動部材２６は、吸着器２０の回転軸２４を回転させる部材である。回転駆動部材２６は、回転軸２４を回転駆動する駆動力を出力する電動モータ（例えば、ステッピングモータ）を含んで構成されている。
【００６７】
ここで、吸着器２０の回転軸２４は、側面壁部２２の外側のうち、空気流入口２１１と空気流出口２１２との間に固定されている。そして、吸着器２０は、回転軸２４の回転に伴って空気流入口２１１および空気流出口２１２が変位する。このため、回転駆動部材２６は、流通路２１の両端部に形成される空気流入口２１１および空気流出口２１２の位置が変化するように、吸着器２０を変位させる駆動部材として機能する。
【００６８】
次に、加湿装置１０の電子制御部である制御装置３０について図５を参照して説明する。制御装置３０は、プロセッサおよび記憶部を含んで構成される周知のマイクロコンピュータとその周辺回路で構成されている。なお、制御装置３０の記憶部は、非遷移的実体的記憶媒体で構成される。
【００６９】
図５に示すように、制御装置３０は、その入力側に、加湿装置１０による加湿対象空間ＴＳの加湿のオン・オフを切り替える加湿スイッチ３１ａを含む操作部３１が接続されている。
【００７０】
また、制御装置３０は、その出力側に、送風機１２４、冷温風生成機１２６、回転駆動部材２６が接続されている。制御装置３０は、記憶部に記憶された制御プログラムに従って各種演算、処理を行い、出力側に接続された各種機器の作動を制御する。
【００７１】
次に、加湿装置１０の作動について説明する。加湿装置１０は、加湿スイッチ３１ａがオン状態に操作されると、制御装置３０が送風機１２４を作動させると共に、冷温風生成機１２６のペルチェ素子１２６ａに通電する。同時に、制御装置３０は、回転駆動部材２６によって吸着器２０を所定の位置に回転させて、加湿対象空間ＴＳの加湿と水分回収とを所定時間おきに交互に実行する。
【００７２】
制御装置３０は、吸着器２０に対して水分を吸着させる水分回収時に、回転駆動部材２６に対して、図１の一点鎖線で示す水分回収位置に吸着器２０を回転させることを指示する制御信号を出力する。
【００７３】
具体的には、回転駆動部材２６は、流通路２１を介して冷風導入部１８２と除湿用導出部１８４とが連通すると共に、吸着器２０の側面壁部２２によって温風導入部１８３と加湿用導出部１８５との連通が遮断される水分回収位置に吸着器２０を回転させる。
【００７４】
吸着器２０は、流通路２１における空気流入口２１１が収容ケース１８の冷風導入部１８２に対向すると共に、流通路２１における空気流出口２１２が収容ケース１８の除湿用導出部１８４に対向する位置に変位する。
【００７５】
これにより、図６に示すように、送風ユニット１２では、送風機１２４から送風された空気が冷温風生成機１２６にて冷却されることで、相対湿度の高い冷風が生成される。送風ユニット１２で生成された冷風は、冷風導入部１８２を介して吸着器２０に流入する。
【００７６】
吸着器２０に流入した冷風は、空気中に含まれる水分が吸着器２０の吸着部２３で吸着されることで除湿される。そして、吸着器２０で水分が吸着された除湿空気は、除湿用導出部１８４に導出された後、排気ダクト１４４を介して外部に排気される。
【００７７】
一方、制御装置３０は、加湿対象空間ＴＳの加湿時に、回転駆動部材２６に対して、図１の実線で示す加湿位置に吸着器２０を回転させることを指示する制御信号を出力する。
【００７８】
具体的には、回転駆動部材２６は、流通路２１を介して温風導入部１８３と加湿用導出部１８５とが連通すると共に、吸着器２０の側面壁部２２によって冷風導入部１８２と除湿用導出部１８４との連通が遮断される加湿位置に吸着器２０を回転させる。
【００７９】
吸着器２０は、流通路２１における空気流入口２１１が収容ケース１８の温風導入部１８３に対向すると共に、流通路２１における空気流出口２１２が収容ケース１８の加湿用導出部１８５に対向する位置に変位する。
【００８０】
これにより、図７に示すように、送風ユニット１２では、送風機１２４から送風された空気が冷温風生成機１２６にて加熱されることで、冷風に比べて相対湿度の低い温風が生成される。送風ユニット１２で生成された温風は、温風導入部１８３を介して吸着器２０に流入する。
【００８１】
吸着器２０に流入した温風は、吸着器２０の吸着部２３から脱離した水分によって加湿される。そして、吸着器２０で加湿された加湿空気は、加湿用導出部１８５に導出された後、加湿ダクト１４２を介して加湿対象空間ＴＳに吹き出される。
【００８２】
加湿装置１０は、加湿スイッチ３１ａがオフ状態に操作されると、制御装置３０が送風機１２４の作動を停止させると共に、冷温風生成機１２６のペルチェ素子１２６ａへの通電を停止する。同時に、制御装置３０は、回転駆動部材２６によって吸着器２０を所定の位置に回転させて、加湿対象空間ＴＳの加湿および水分回収を停止させる。
【００８３】
制御装置３０は、加湿対象空間ＴＳの加湿および水分回収の停止時に、回転駆動部材２６に対して、図１の二点鎖線で示す停止位置に吸着器２０を回転させることを指示する制御信号を出力する。
【００８４】
具体的には、回転駆動部材２６は、図８に示すように、吸着器２０の側面壁部２２によって、冷風導入部１８２と除湿用導出部１８４との連通が遮断されると共に、温風導入部１８３と加湿用導出部１８５との連通が遮断される停止位置に吸着器２０を回転させる。
【００８５】
これにより、送風ユニット１２の内部と配風ユニット１４の内部との連通が吸着器２０によって遮断される。この際、吸着器２０は、流通路２１における空気流入口２１１および空気流出口２１２が、収容ケース１８の収容部１８１における外周面部１８１ｃに対向する位置に変位する。このため、吸着器２０では、意図せずに、流通路２１に対して空気が流入したり、流通路２１から空気が流入したりすることがない。
【００８６】
以上説明した加湿装置１０の加湿器１６は、冷風に含まれる水分を吸着器２０に吸着させると共に、温風によって吸着器２０に吸着された水分を脱離させることができるので、加湿対象空間ＴＳを無給水で加湿することができる。
【００８７】
特に、本実施形態の加湿器１６は、収容ケース１８の内部で吸着器２０を回転させることで、収容ケース１８に導入する冷風と温風の切り替え、および収容ケース１８から導出する除湿空気と加湿空気の切り替えることが可能となっている。すなわち、本実施形態の加湿器１６は、吸着器２０自体を、従来まで別部品で構成されていた収容ケース１８の内部における空気の導入および導出を切り替える切替手段として機能させることができる。
【００８８】
したがって、本実施形態の加湿器１６は、本明細書の背景技術で説明した加湿器に比べて、部品点数を減少させることができるので、簡素な構成で無給水加湿を実現することが可能となる。
【００８９】
また、加湿器１６は、加湿装置１０の停止時に、回転駆動部材２６が、吸着器２０の側面壁部２２によって、冷風導入部１８２と除湿用導出部１８４との連通、および温風導入部１８３と加湿用導出部１８５との連通が遮断される停止位置に吸着器２０を回転させる。
【００９０】
これによると、吸着器２０自体を、収容ケース１８からの除湿空気および加湿空気の導出を停止させる停止手段として機能させることができるので、より一層簡素な構成で無給水加湿を実現することが可能となる。
【００９１】
さらに、加湿器１６は、吸着器２０内部の流通路２１が吸着器２０の回転中心ＲＳを跨ぐように直線状に延びる構成となっている。これによれば、吸着器２０内部の流通路２１にける空気の通風抵抗を抑制しつつ、流通路２１の長さを確保して、吸着器２０における水分の吸着や脱離するためのスペースを拡大させることが可能となる。
【００９２】
ここで、本実施形態では、吸着器２０の側面壁部２２の内部に形成された流通路２１が、冷風導入部１８２および温風導入部１８３の一方と除湿用導出部１８４および加湿用導出部１８５の一方とを連通させる空気通路部を構成する。また、本実施形態では、吸着器２０の側面壁部２２が、冷風導入部１８２および温風導入部１８３の他方と除湿用導出部１８４および加湿用導出部１８５の他方とを閉塞する閉塞部を構成する。
【００９３】
（第２実施形態）
次に、第２実施形態について、図９〜図１２を参照して説明する。本実施形態の加湿器１６は、第１実施形態に対して、構造の異なる吸着器２０Ａおよび収容ケース１８Ａを採用している点が相違している。
【００９４】
図９に示すように、吸着器２０Ａは、外殻を構成する側面壁部２２Ａ、側面壁部２２Ａの内部に設けられた吸着部２３、および側面壁部２２Ａの外側に固定された回転軸２４Ａを有している。
【００９５】
側面壁部２２Ａは、略円筒状の部材で構成されている。具体的には、側面壁部２２Ａは、収容部１８１の一対の端面部１８１ａ、１８１ｂに対向する円形状の一対の端面対向部２２１、２２２、収容部１８１の外周面部１８１ｃに対向する外周対向部２２３を有している。
【００９６】
側面壁部２２Ａには、一対の端面対向部２２１、２２２の略中央部に回転軸２４Ａが固定されている。側面壁部２２Ａは、その内部に回転軸２４Ａを跨がないように直線状に延びる空気の流通路２１Ａが形成されている。側面壁部２２Ａは、外周対向部２２３に空気流入口２１１Ａおよび空気流出口２１２Ａが形成されている。なお、側面壁部２２Ａの内部に形成された流通路２１Ａには、吸着部２３が設けられている。
【００９７】
また、本実施形態の冷風導入部１８２Ａおよび除湿用導出部１８４Ａは、図１０に示すように、吸着器２０を水分回収位置に回転させた際に、収容部１８１Ａにおける流通路２１Ａの空気流入口２１１Ａおよび空気流出口２１２Ａと対向する部位に接続されている。
【００９８】
同様に、本実施形態の温風導入部１８３Ａおよび加湿用導出部１８５Ａは、図１１に示すように、吸着器２０を加湿位置に回転させた際に、収容部１８１Ａにおける流通路２１Ａの空気流入口２１１Ａおよび空気流出口２１２Ａと対向する部位に接続されている。
【００９９】
本実施形態の制御装置３０は、水分回収時に、回転駆動部材２６に対して、図１０に示す水分回収位置に吸着器２０Ａを回転させることを指示する制御信号を出力する。具体的には、回転駆動部材２６は、流通路２１Ａを介して冷風導入部１８２Ａと除湿用導出部１８４Ａとが連通すると共に、側面壁部２２Ａによって温風導入部１８３Ａと加湿用導出部１８５Ａとの連通が遮断される水分回収位置に吸着器２０Ａを回転させる。
【０１００】
これにより、図１０に示すように、吸着器２０Ａに流入した冷風は、空気中に含まれる水分が吸着器２０Ａの吸着部２３で吸着されることで除湿される。そして、吸着器２０Ａで水分が吸着された除湿空気は、除湿用導出部１８４Ａに導出される。
【０１０１】
また、本実施形態の制御装置３０は、加湿時に、回転駆動部材２６に対して、図１１に示す加湿位置に吸着器２０Ａを回転させることを指示する制御信号を出力する。具体的には、回転駆動部材２６は、流通路２１Ａを介して温風導入部１８３Ａと加湿用導出部１８５Ａとが連通すると共に、側面壁部２２Ａによって冷風導入部１８２Ａと除湿用導出部１８４Ａとの連通が遮断される加湿位置に吸着器２０Ａを回転させる。
【０１０２】
これにより、図１１に示すように、吸着器２０Ａに流入した温風は、吸着器２０Ａの吸着部２３から脱離した水分によって加湿される。そして、吸着器２０Ａで加湿された加湿空気は、加湿用導出部１８５Ａに導出される。
【０１０３】
さらに、本実施形態の制御装置３０は、加湿および水分回収の停止時に、回転駆動部材２６に対して、図１２に示す停止位置に吸着器２０Ａを回転させることを指示する制御信号を出力する。具体的には、回転駆動部材２６は、吸着器２０Ａの側面壁部２２Ａによって、冷風導入部１８２Ａと除湿用導出部１８４Ａとの連通が遮断されると共に、温風導入部１８３Ａと加湿用導出部１８５Ａとの連通が遮断される停止位置に吸着器２０Ａを回転させる。
【０１０４】
これにより、送風ユニット１２の内部と配風ユニット１４の内部との連通が吸着器２０Ａによって遮断される。また、吸着器２０Ａでは、意図せずに、流通路２１Ａに対して空気が流入したり、流通路２１Ａから空気が流入したりすることがない。
【０１０５】
その他の構成および作動は、第１実施形態と同様である。本実施形態の加湿器１６は、第１実施形態と共通の構成から奏される作用効果を第１実施形態と同様に得ることができる。
【０１０６】
（第３実施形態）
次に、第３実施形態について、図１３〜図２０を参照して説明する。本実施形態では、無給水で室内を加湿可能な空調装置５０を、車室内を空調する車両用空調装置に適用した例について説明する。なお、図１３、図１４等に示す上下前後の各矢印は、空調装置５０が車両に搭載された状態での向きを示す。また、前後を示す矢印は、車両進行方向を前としている。
【０１０７】
図１３、図１４に示すように、空調装置５０は、外殻を構成する空調ケース５２、車室内に吹き出す空気を冷却する冷却器５４、車室内に吹き出す空気を加熱する加熱器５６、ロータリドア６０、および加湿器７０を備える。
【０１０８】
空調ケース５２は、車両進行方向の前側に、空気導入口５２０が設けられている。空気導入口５２０は、車両幅方向の一方側に開口している。空気導入口５２０には、図示しない送風機から吹き出される空気が導入される。
【０１０９】
冷却器５４は、空調ケース５２の内部における空気導入口５２０の空気流れ下流側に配置されている。冷却器５４は、圧縮機、放熱器、膨張弁と共に、冷媒を循環させる周知の冷凍サイクル装置を構成し、冷媒を蒸発させることにより、空気導入口５２０から導入された空気を冷却する。
【０１１０】
加熱器５６は、空調ケース５２の内部における冷却器５４の空気流れ下流側に配置されている。加熱器５６は、冷却器５４を通過した冷風を、図示しないエンジンの冷却水により加熱する。
【０１１１】
空調ケース５２の内部には、加熱器５６の空気流れ下流側に加熱器５６で加熱された温風が流れる温風通路５２１が形成されている。また、空調ケース５２の内部には、冷却器５４で冷却された冷風を、加熱器５６をバイパスして流す冷風通路５２２が形成されている。
【０１１２】
図１３に示すように、空調ケース５２の内部には、冷風通路５２２および温風通路５２１の空気流れ下流側に、冷風通路５２２からの冷風と温風通路５２１からの温風とを混合させる混合空間５２３が形成されている。
【０１１３】
空調ケース５２には、混合空間５２３の上方側に、略円弧状のケース周壁部５２４が設けられている。ケース周壁部５２４には、デフロスタ吹出開口部５２４ａ、フェイス吹出開口部５２４ｂ、およびフット吹出開口部５２４ｃが設けられている。
【０１１４】
デフロスタ吹出開口部５２４ａは、車室内の窓ガラスの内表面に向けて空調を吹き出す吹出開口部である。デフロスタ吹出開口部５２４ａは、ケース周壁部５２４における車両進行方向の前側に形成されている。
【０１１５】
フェイス吹出開口部５２４ｂは、車室内の乗員の上半身に向けて空調風を吹き出す吹出開口部である。フェイス吹出開口部５２４ｂは、ケース周壁部５２４におけるデフロスタ吹出開口部５２４ａの車両進行方向の後側に形成されている。
【０１１６】
具体的には、フェイス吹出開口部５２４ｂは、ケース周壁部５２４のうち、後述する吸着器回転軸７８の回転中心ＲＳを挟んで、温風通路５２１に対向する部位に形成されている。本実施形態では、フェイス吹出開口部５２４ｂが、後述する吸着器７２から脱離した水分によって加湿された加湿空気を吹き出す加湿用開口部を構成する。
【０１１７】
フット吹出開口部５２４ｃは、乗員の下半身に向けて空調風を吹き出す吹出開口部である。フット吹出開口部５２４ｃは、ケース周壁部５２４におけるフェイス吹出開口部５２４ｂの車両進行方向の後側に形成されている。
【０１１８】
具体的には、フット吹出開口部５２４ｃは、ケース周壁部５２４のうち、後述する吸着器回転軸７８の回転中心ＲＳを挟んで、冷風通路５２２に対向する部位に形成されている。本実施形態では、フット吹出開口部５２４ｃが、後述する吸着器７２にて水分が吸着された除湿空気を吹き出す除湿用開口部を構成する。
【０１１９】
ここで、空調ケース５２の内部には、冷風通路５２２および温風通路５２１と各吹出開口部５２４ａ〜５２４ｃとの間に、ロータリドア６０が配置されている。ロータリドア６０は、中空となる略円筒状の部材である。前述した混合空間５２３は、ロータリドア６０の内部に形成される。
【０１２０】
ロータリドア６０は、冷風通路５２２および温風通路５２１の通路開度を調整する機能、および各吹出開口部５２４ａ〜５２４ｃを開閉する機能する。ロータリドア６０は、冷風通路５２２および温風通路５２１の通路開度を調整するエアミックス部６２、および各吹出開口部５２４ａ〜５２４ｃを開閉するモード切替部６４を有している。
【０１２１】
図１５に示すように、ロータリドア６０を構成するエアミックス部６２およびモード切替部６４は、互いに分離可能な別の部材として形成されている。
【０１２２】
エアミックス部６２は、冷風通路５２２および温風通路５２１に対向する調整板部６２１、調整板部６２１の両端に連結された一対の側板部６２２、６２３、およびエアミックス回転軸６２４、６２５を有している。
【０１２３】
調整板部６２１は、エアミックス部６２における冷風通路５２２および温風通路５２１の通路開度を調整するものである。調整板部６２１は、略円弧状に形成されている。すなわち、調整板部６２１は、エアミックス回転軸６２４、６２５の軸心を中心とする円弧をなすように湾曲している。
【０１２４】
また、調整板部６２１には、後述する吸着器７２を回転させた際に、流通路７３の一端部に設けられた空気流入口７３１と重なり合う部位に、表裏を貫通する調整側貫通穴６２１ａが形成されている。
【０１２５】
また、一対の側板部６２２、６２３は、略扇状の形状を有し、調整板部６２１の両端に連結されている。一対の側板部６２２、６２３には、その要となる部位にエアミックス回転軸６２４、６２５が設けられている。
【０１２６】
エアミックス回転軸６２４、６２５は、一対の側板部６２２、６２３から外側に突き出ている。エアミックス回転軸６２４、６２５は、その内部に後述するドア回転軸６４６、６４７が挿通可能なように略円筒状に形成されている。
【０１２７】
エアミックス回転軸６２４、６２５は、空調ケース５２に設けられた図示しない軸受によって回転可能に支持されている。エアミックス回転軸６２４、６２５は、エアミックス部６２を回転させる後述するエアミックスアクチュエータ８２に接続されている。
【０１２８】
エアミックス部６２がエアミックス回転軸６２４、６２５を中心に回転すると、調整板部６２１の位置が変化する。この調整板部６２１の位置変化によって、冷風通路５２２および温風通路５２１の通路開度が変化することで、混合空間５２３への冷風の流入量と温風の流入量を所望の比率に調整することができる。
【０１２９】
続いて、モード切替部６４について説明する。モード切替部６４は、一対のドア側板部６４１、６４２、第１〜第３開閉板部６４３〜６４５、ドア回転軸６４６、６４７を有している。
【０１３０】
一対のドア側板部６４１、６４２は、それぞれ略円盤状に形成されている。一対のドア側板部６４１、６４２は、第１〜第３開閉板部６４３〜６４５の両端に連結されている。一対のドア側板部６４１、６４２は、その中心部にドア回転軸６４６、６４７が設けられている。
【０１３１】
第１〜第３開閉板部６４３〜６４５は、それぞれ略円弧状に形成されている。第１〜第３開閉板部６４３〜６４５は、ドア回転軸６４６、６４７の回転方向に間隔をあけて配置されている。第１〜第３開閉板部６４３〜６４５の間には、空気が流通可能な隙間が形成されている。
【０１３２】
また、第１〜第３開閉板部６４３〜６４５には、後述する吸着器７２を回転させた際に、流通路７３の他端部に設けられた空気流出口７３２と重なり合う部位に、表裏を貫通する開閉側貫通穴６４３ａ〜６４５ａが形成されている。
【０１３３】
ドア回転軸６４６、６４７は、一対のドア側板部６４１、６４２から外側に突き出ている。ドア回転軸６４６、６４７は、モード切替部６４がエアミックス部６２と同軸に回転可能なように、エアミックス回転軸６２４、６２５に挿通されている。
【０１３４】
ドア回転軸６４６、６４７は、その内部に後述する吸着器回転軸７８が挿通可能なように略円筒状に形成されている。ドア回転軸６４６、６４７は、モード切替部６４を回転させる後述するドアアクチュエータ８４に接続されている。
【０１３５】
モード切替部６４がドア回転軸６４６、６４７を中心に回転すると、第１〜第３開閉板部６４３〜６４５の位置が変化する。この第１〜第３開閉板部６４３〜６４５の位置変化によって、各吹出開口部５２４ａ〜５２４ｃの開閉状態が変化することで、吹出モードが変化する。なお、吹出モードは、周知のフットモード、デフロスタモード、フェイスモード等がある。
【０１３６】
続いて、加湿器７０について図１４〜図１７を参照して説明する。加湿器７０は、冷却器５４および加熱器５６の少なくとも一方で温度調整された空気を利用して、車室内を加湿するものである。加湿器７０は、空調ケース５２の内部に収容された吸着器７２を含んで構成されている。
【０１３７】
吸着器７２は、内部に空気が流通可能な流通路７３が形成されると共に、流通路７３を通過する空気に含まれる水分を吸着して脱離することが可能に構成されている。吸着器７２は、冷風通路５２２および温風通路５２１と各吹出開口部５２４ａ〜５２４ｃとの間に回転可能に配置されている。本実施形態の吸着器７２は、ロータリドア６０の内部に配置されている。
【０１３８】
ここで、ロータリドア６０の内部には、冷風通路５２２を流れる冷風と温風通路５２１を流れる温風との混合空間５２３が形成されている。このため、ロータリドア６０の内部に吸着器７２を配置すると、混合空間５２３を確保できなくなることが懸念される。
【０１３９】
そこで、図１５に示すように、吸着器７２は、冷風通路５２２を流れる冷風と温風通路５２１を流れる温風との混合空間５２３が確保されるように、ロータリドア６０の内部に配置されている。具体的には、吸着器７２は、吸着器７２の一対の端面対向部７４１、７４２とモード切替部６４の一対のドア側板部６４１、６４２との間に、混合空間５２３が形成されるように、ロータリドア６０の内部における略中央部に配置されている。
【０１４０】
図１５、図１６に示すように、吸着器７２は、外殻を構成する側面壁部７４、側面壁部７４の内部に設けられた吸着部７６、および側面壁部７４の外側に固定された吸着器回転軸７８を有している。
【０１４１】
側面壁部７４は、略円筒状の部材で構成されている。具体的には、側面壁部７４は、モード切替部６４の一対のドア側板部６４１、６４２に対向する円形状の一対の端面対向部７４１、７４２、モード切替部６４の各開閉板部６４３〜６４５等に対向する外周対向部７４３を有している。
【０１４２】
側面壁部７４には、一対の端面対向部７４１、７４２の略中央部に吸着器回転軸７８が固定されている。側面壁部７４は、その内部に吸着器回転軸７８を跨ぐように直線状に延びる空気の流通路７３が形成されている。側面壁部７４は、外周対向部７４３に空気流入口７３１および空気流出口７３２が形成されている。
【０１４３】
側面壁部７４の内部に形成された流通路７３には、吸着部７６が設けられている。吸着部７６は、第１実施形態で説明した「吸着部２３」と同様に、表面に吸着物質が担持された波板状の部材を含んで構成されている。
【０１４４】
吸着器回転軸７８は、側面壁部７４における一対の端面対向部７４１、７４２の略中央部に固定されている。吸着器回転軸７８は、一対の端面対向部７４１、７４２の外側に突き出ている。吸着器回転軸７８は、側面壁部７４の外側のうち、空気流入口７３１と空気流出口７３２からの距離が略同等となる位置に固定されている。
【０１４５】
吸着器回転軸７８は、吸着器７２がロータリドア６０と同軸に回転可能なように、ドア回転軸６４６、６４７に挿通されている。吸着器回転軸７８は、吸着器７２を回転させる回転駆動部材８０に接続されている。
【０１４６】
回転駆動部材８０は、吸着器回転軸７８を回転させる部材である。回転駆動部材８０は、吸着器回転軸７８を回転駆動する駆動力を出力する電動モータ（例えば、ステッピングモータ）を含んで構成されている。
【０１４７】
吸着器回転軸７８は、側面壁部７４の外側のうち、空気流入口７３１と空気流出口７３２との間に固定されている。そして、吸着器７２は、吸着器回転軸７８の回転に伴って空気流入口７３１および空気流出口７３２の位置が変位する。このため、回転駆動部材８０は、吸着器７２の流通路７３の両端部の空気流入口７３１および空気流出口７３２の位置を変位させる部材として機能する。
【０１４８】
次に、空調装置５０の電子制御部である空調制御装置１００について図１７を参照して説明する。空調制御装置１００は、プロセッサおよび記憶部を含んで構成される周知のマイクロコンピュータとその周辺回路で構成されている。なお、空調制御装置１００の記憶部は、非遷移的実体的記憶媒体で構成される。
【０１４９】
図１７に示すように、空調制御装置１００は、その入力側に、車室内の空調のオン・オフを切り替える空調スイッチ１０１ａ、加湿器７０による車室内の加湿のオン・オフを切り替える加湿スイッチ１０１ｂを含む操作部１０１が接続されている。図示しないが、空調制御装置１００の入力側には、外気センサ、内気センサ等の空調用のセンサ群が接続されている。
【０１５０】
また、空調制御装置１００は、その出力側に、図示しない送風機、回転駆動部材８０、エアミックスアクチュエータ８２、ドアアクチュエータ８４等が接続されている。空調制御装置１００は、記憶部に記憶された制御プログラムに従って各種演算、処理を行い、出力側に接続された各種機器の作動を制御する。
【０１５１】
次に、空調装置５０における加湿器７０の作動について説明する。空調装置５０は、空調スイッチ１０１ａおよび加湿スイッチ１０１ｂの双方がオン状態に操作されると、空調制御装置１００が送風機、冷却器５４、および加熱器５６を作動させる。同時に、空調制御装置１００は、回転駆動部材８０によって吸着器７２を所定の位置に回転させて、車室内の加湿と水分回収とを所定時間おきに交互に実行する。
【０１５２】
空調制御装置１００は、吸着器７２に対して水分を吸着させる水分回収時に、回転駆動部材８０に対して、図１８に示す水分回収位置に吸着器７２を回転させることを指示する制御信号を出力する。
【０１５３】
具体的には、回転駆動部材８０は、流通路７３を介して冷風通路５２２とフット吹出開口部５２４ｃとが連通し、吸着器７２の側面壁部７４によって温風通路５２１とフェイス吹出開口部５２４ｂとの連通が遮断される水分回収位置に吸着器７２を回転させる。
【０１５４】
この際、デフロスタ吹出開口部５２４ａについては、吸着器７２の側面壁部７４によって、冷風通路５２２および温風通路５２１の双方との連通が遮断される。なお、混合空間５２３を介した各通路５２１、５２２と各吹出開口部５２４ａ〜５２４ｂとの連通状態については、吸着器７２の位置によらず、ロータリドア６０によって制御される。
【０１５５】
吸着器７２は、水分回収時に、流通路７３における空気流入口７３１が冷風通路５２２に対向すると共に、流通路７３における空気流出口７３２がフット吹出開口部５２４ｃに対向する位置に変位する。
【０１５６】
これにより、図１８に示すように、冷却器５４で冷却された冷風が、吸着器７２に流入する。吸着器７２に流入した冷風は、空気中に含まれる水分が吸着器７２の吸着部７６で吸着されることで除湿される。そして、吸着器７２で水分が吸着された除湿空気は、フット吹出開口部５２４ｃを介して車室内の下方側に排気される。
【０１５７】
一方、空調制御装置１００は、車室内の加湿時に、回転駆動部材８０に対して、図１９に示す加湿位置に吸着器７２を回転させることを指示する制御信号を出力する。
【０１５８】
具体的には、回転駆動部材８０は、流通路７３を介して温風通路５２１とフェイス吹出開口部５２４ｂとが連通すると共に、吸着器７２の側面壁部７４によって冷風通路５２２とフット吹出開口部５２４ｃとの連通が遮断される加湿位置に吸着器７２を回転させる。
【０１５９】
この際、デフロスタ吹出開口部５２４ａについては、吸着器７２の側面壁部７４によって、冷風通路５２２および温風通路５２１の双方との連通が遮断される。なお、混合空間５２３を介した各通路５２１、５２２と各吹出開口部５２４ａ〜５２４ｂとの連通状態については、吸着器７２の位置によらず、ロータリドア６０によって制御される。
【０１６０】
吸着器７２は、加湿時に、流通路７３における空気流入口７３１が温風通路５２１に対向すると共に、流通路７３における空気流出口７３２がフェイス吹出開口部５２４ｂに対向する位置に変位する。
【０１６１】
これにより、図１９に示すように、加熱器５６で加熱された温風が、吸着器７２に流入する。吸着器７２に流入した温風は、吸着器７２の吸着部７６から脱離した水分によって加湿される。そして、吸着器７２で加湿された加湿空気は、フェイス吹出開口部５２４ｂを介して車室内の上方側における乗員の顔付近に吹き出される。
【０１６２】
また、空調装置５０は、加湿スイッチ１０１ｂがオフ状態に操作されると、空調制御装置１００が回転駆動部材８０によって吸着器７２を所定の位置に回転させて、車室内の加湿および水分回収を停止させる。
【０１６３】
空調制御装置１００は、車室内の加湿および水分回収の停止時に、回転駆動部材８０に対して、図２０に示す停止位置に吸着器７２を回転させることを指示する制御信号を出力する。
【０１６４】
具体的には、回転駆動部材８０は、吸着器７２の側面壁部７４によって、各通路５２１、５２２と各吹出開口部５２４ａ〜５２４ｃとの連通が遮断される停止位置に吸着器７２を回転させる。このため、吸着器７２では、意図せずに、流通路７３に対して空気が流入したり、流通路７３から空気が流入したりすることがない。
【０１６５】
以上説明した空調装置５０は、冷却器５４で冷却された冷風に含まれる水分を吸着器７２に吸着させると共に、加熱器５６で加熱された温風によって吸着器７２に吸着された水分を脱離させることができるので、車室内を無給水で加湿することができる。
【０１６６】
また、空調装置５０の加湿器７０は、吸着器７２自体が、従来まで別部品で構成されていた空気の導入および導出を切り替える切替手段として機能するので、背景技術で説明した加湿器に比べて、部品点数を減少させることができる。
【０１６７】
さらに、車室内に吹き出す空気を冷却する冷却器５４および車室内に吹き出す空気を加熱する加熱器５６を、吸着器７２に導入する冷風および温風の生成手段として利用しているので、加湿器７０自体に冷風および温風の生成手段を追加する必要がない。
【０１６８】
したがって、本実施形態の空調装置５０は、部品点数を減少させることができるので、簡素な構成で無給水加湿を実現することが可能となる。
【０１６９】
特に、本実施形態の空調装置５０では、吸着器７２がロータリドア６０の内部に収容されている。これによれば、空調ケース５２の内部に吸着器７２を収容するための空間に別に用意する必要がないため、加湿器７０の追加に伴う空調装置５０の大型化を抑制することができる。
【０１７０】
この際、ロータリドア６０の内部には、冷風通路５２２を流れる冷風と温風通路５２１を流れる温風とを混合させる混合空間５２３が確保されるように、吸着器７２が配置されている。このため、加湿器７０の追加に伴う空調装置５０の空調機能への影響を抑制することができる。
【０１７１】
さらに、ロータリドア６０を構成する調整板部６２１には、吸着器７２を回転させた際に、流通路７３の空気流入口７３１および空気流出口７３２に重なり合う部位に表裏を貫通する調整側貫通穴６２１ａが形成されている。同様に、ロータリドア６０を構成する第１〜第３開閉板部６４３〜６４５には、吸着器７２を回転させた際に、流通路７３の空気流入口７３１および空気流出口７３２に重なり合う部位に表裏を貫通する開閉側貫通穴６４３ａ〜６４５ａが形成されている。
【０１７２】
このように、本実施形態の加湿器７０は、ロータリドア６０の調整板部６２１および第１〜第３開閉板部６４３〜６４５によって吸着器７２の流通路７３が閉塞されることがないので、室内の空調を行いつつ、室内の加湿を実施することができる。
【０１７３】
また、本実施形態の加湿器７０は、吸着器７２内部の流通路７３が吸着器７２の回転中心ＲＳを跨ぐように直線状に延びている。これによれば、流通路７３における通風抵抗を抑制しつつ、流通路７３の長さを確保して、吸着器７２における水分の吸着や脱離するためのスペースを拡大させることが可能となる。
【０１７４】
ここで、本実施形態では、空調ケース５２が吸着器７２を収容する収容ケースに相当する。そして、本実施形態では、冷風通路５２２が吸着器７２に冷風を導入する冷風導入部に相当し、温風通路５２１が吸着器７２に温風を導入する温風導入部に相当する。また、本実施形態では、フェイス吹出開口部５２４ｂが、吸着器７２にて加湿された加湿空気を加湿対象空間に向けて導出する加湿用導出部に相当し、フット吹出開口部５２４ｃが吸着器７２にて除湿された除湿空気を導出する除湿用導出部に相当する。
また、本実施形態では、吸着器７２の側面壁部７４の内部に形成された流通路７３が、冷風通路５２２および温風通路５２１の一方とフット吹出開口部５２４ｃおよびフェイス吹出開口部５２４ｂの一方とを連通させる空気通路部を構成する。また、本実施形態では、吸着器７２の側面壁部７４が、冷風通路５２２および温風通路５２１の他方とフット吹出開口部５２４ｃおよびフェイス吹出開口部５２４ｂの他方を閉塞する閉塞部を構成する。
【０１７５】
（第４実施形態）
次に、第４実施形態について、図２１〜図２３を参照して説明する。本実施形態では、加湿器７０Ａが空調装置５０の空調ケース５２に対して脱着可能に構成されている例について説明する。本実施形態では、第３実施形態と異なる部分について主に説明し、第３実施形態と同様の部分についての説明を省略することがある。なお、図２１〜図２３等に示す上下前後の各矢印は、空調装置５０が車両に搭載された状態での向きを示す。また、前後を示す矢印は、車両進行方向を前としている。
【０１７６】
図２１に示すように、空調装置５０は、外殻を構成する空調ケース５２、車室内に吹き出す空気を冷却する冷却器５４、車室内に吹き出す空気を加熱する加熱器５６、加湿器７０Ａ等を備える。
【０１７７】
空調ケース５２は、車両進行方向の前側に、空気導入口５２０が設けられている。空調ケース５２の内部には、冷却器５４および加熱器５６が配置されている。なお、加熱器５６は、空調ケース５２の内部における冷却器５４の空気流れ下流側に配置されている。
【０１７８】
本実施形態の空調ケース５２の内部には、冷却器５４と加熱器５６との間の空気通路、および加熱器５６の空気流れ下流側の空気通路を上下に分割するための仕切部材５１が設置されている。これにより、加熱器５６の空気流れ下流側には、加熱器５６で加熱された温風が流れる上側温風通路５２１Ａおよび下側温風通路５２１Ｂが形成されている。また、空調ケース５２の内部には、冷却器５４で冷却された冷風を、加熱器５６をバイパスして流す上側冷風通路５２２Ａおよび下側冷風通路５２２Ｂが形成されている。
【０１７９】
さらに、空調ケース５２の内部には、各冷風通路５２２Ａ、５２２Ｂからの冷風と温風通路５２１Ａ、５２１Ｂからの温風とを混合させる上側混合空間５２３Ａおよび下側混合空間５２３Ｂが形成されている。なお、各混合空間５２３Ａ、５２３Ｂは、仕切部材５１の空気流れ下流側に設けられた連通ドア５３を変位させることで、互いに連通可能になっている。
【０１８０】
本実施形態の空調ケース５２の内部には、冷却器５４と加熱器５６との間に、各冷風通路５２２Ａ、５２２Ｂおよび各温風通路５２１Ａ、５２１Ｂの通路開度を調整するための一対のエアミックスドア６２Ａ、６２Ｂが設けられている。各エアミックスドア６２Ａ、６２Ｂは、各冷風通路５２２Ａ、５２２Ｂを流れる冷風の風量と各温風通路５２１Ａ、５２１Ｂを流れる温風の風量との割合を変更することで、車室内に吹き出す空気の温度を調整する温調部材として機能する。各エアミックスドア６２Ａ、６２Ｂは、第３実施形態のエアミックス部６２と異なり、スライドドアで構成されている。なお、各エアミックスドア６２Ａ、６２Ｂは、例えば、バタフライドアや片持ドアで構成されていてもよい。
【０１８１】
空調ケース５２には、上側混合空間５２３Ａよりも上方側に位置する上壁部５２５にデフロスタ吹出開口部５２４ａおよびフェイス吹出開口部５２４ｂが設けられている。そして、デフロスタ吹出開口部５２４ａの空気流れ上流側には、デフロスタ吹出開口部５２４ａを開閉するデフロスタドア６４Ａが設けられている。また、フェイス吹出開口部５２４ｂの空気流れ上流側には、フェイス吹出開口部５２４ｂを開閉するフェイスドア６４Ｂが設けられている。
【０１８２】
空調ケース５２には、下側混合空間５２３Ｂよりも下方側に位置する下壁部５２６にフット吹出開口部５２４ｃが設けられている。フット吹出開口部５２４ｃの空気流れ上流側には、フット吹出開口部５２４ｃを開閉するフットドア６４Ｃが設けられている。
【０１８３】
本実施形態のデフロスタドア６４Ａ、フェイスドア６４Ｂ、およびフットドア６４Ｃは、第３実施形態のモード切替部６４と異なり、片持ドアで構成されている。なお、デフロスタドア６４Ａ、フェイスドア６４Ｂ、およびフットドア６４Ｃは、スライドドアやバタフライドアで構成されていてもよい。
【０１８４】
また、本実施形態の空調ケース５２には、下壁部５２６に、後述する冷風導入部７１２を挿通させるための冷風用挿通穴５２６ａ、および後述する温風導入部７１３を挿通させるための温風用挿通穴５２６ｂが形成されている。
【０１８５】
続いて、本実施形態の加湿器７０Ａについて説明する。加湿器７０Ａは、冷却器５４および加熱器５６の少なくとも一方で温度調整された空気を利用して、車室内を加湿するものである。加湿器７０Ａは、外殻を構成する収容ケース７１、収容ケース７１に収容された吸着器７２を含んで構成されている。
【０１８６】
収容ケース７１は、内部に吸着器７２が収容される収容部７１１、冷風を導入する冷風導入部７１２、温風を導入する温風導入部７１３、除湿空気を導出する除湿用導出部７１４、加湿空気を導出する加湿用導出部７１５を有している。なお、収容部７１１は、第１実施形態の収容部１８１と同様に構成されるため、その説明を省略する。
【０１８７】
冷風導入部７１２は、収容部７１１に冷風を導入するものである。冷風導入部７１２は、一端側が空調ケース５２の下壁部５２６の冷風用挿通穴５２６ａに挿通された状態で空調ケース５２に接続され、他端側が収容部１８１に接続されている。具体的には、冷風導入部７１２は、冷却器５４にて冷却された冷風が導入されるように、一端側の端部が冷却器５４と加熱器５６との間に開口している。
【０１８８】
ここで、冷却器５４では、その表面で空気中に含まれる水分が凝縮することがある。冷却器５４の表面に生じた水は、冷風と共に冷却器５４側から加熱器５６側に向かって流れることがあり、冷風と共に冷風導入部７１２に侵入してしまう可能性がある。
【０１８９】
このため、本実施形態の冷風導入部７１２は、空気流れ上流側の上流壁部７１２ａが空気流れ下流側の下流壁部７１２ｂよりも高くなっている。これによると、冷却器５４の表面に生じた水が冷風と共に流れたとしても、冷風導入部７１２の上流壁部７１２ａが障壁となることで、冷風導入部７１２への水の侵入が抑制される。
【０１９０】
温風導入部７１３は、収容部７１１に温風を導入するものである。温風導入部７１３は、一端側が空調ケース５２の下壁部５２６の温風用挿通穴５２６ｂに挿通された状態で空調ケース５２に接続され、他端側が収容部１８１に接続されている。温風導入部７１３は、加熱器５６にて加熱された温風が導入されるように、一端側の端部が下側温風通路５２１Ｂに向けて開口している。
【０１９１】
除湿用導出部７１４は、収容部７１１から除湿空気を導出するものである。除湿用導出部７１４は、一端側が収容部７１１に接続され、他端側が図示しない排気ダクトに接続されている。具体的には、除湿用導出部７１４は、収容部７１１のうち、吸着器７２の吸着器回転軸７８の回転中心ＲＳを挟んで冷風導入部７１２の接続位置と対向する部位に接続されている。換言すれば、冷風導入部７１２および除湿用導出部７１４は、収容ケース７１における吸着器回転軸７８の回転中心ＲＳを挟んで互いに対向する部位に形成されている。
【０１９２】
加湿用導出部７１５は、収容部７１１から加湿空気を導出するものである。加湿用導出部７１５は、一端側が収容部７１１に接続され、他端側が図示しない加湿ダクトに接続されている。具体的には、加湿用導出部７１５は、収容部７１１のうち、吸着器回転軸７８の回転中心ＲＳを挟んで温風導入部７１３の接続位置と対向する部位に接続されている。換言すれば、温風導入部７１３および加湿用導出部７１５は、収容ケース７１における吸着器回転軸７８の回転中心ＲＳを挟んで互いに対向する部位に形成されている。
【０１９３】
収容ケース７１の収容部７１１には、吸着器７２が回転可能に収容されている。吸着器７２は、外殻を構成する側面壁部７４、側面壁部７４の内部に設けられた吸着部７６、および側面壁部７４の外側に固定された吸着器回転軸７８を有している。
【０１９４】
側面壁部７４は、略円筒状の部材で構成されている。側面壁部７４の内部には、冷風導入部７１２および温風導入部７１３の一方の導入部と除湿用導出部７１４および加湿用導出部７１５の一方の導出部とを連通させる空気通路部７４０が形成されている。具体的には、側面壁部７４には、その外周面に一対の開口部７４０ａ、７４０ｂが形成されている。一対の開口部７４０ａ、７４０ｂは、空気通路部７４０における空気の出入口を構成している。
【０１９５】
また、本実施形態の側面壁部７４は、冷風導入部７１２および温風導入部７１３の他方の導入部と除湿用導出部７１４および加湿用導出部７１５の他方の導出部とを閉塞する閉塞部として機能する。すなわち、側面壁部７４は、冷風導入部７１２と除湿用導出部７１４とが連通する際に温風導入部７１３と加湿用導出部７１５とを閉塞し、温風導入部７１３と加湿用導出部７１５とが連通する際に冷風導入部７１２と除湿用導出部７１４とを閉塞する。
【０１９６】
側面壁部７４の内部には、吸着部７６が配置されている。この吸着部７６は、第３実施形態で説明したものと同様に、表面に吸着物質が担持された波板状の部材を含んで構成されている。
【０１９７】
また、側面壁部７４の外側には、吸着器回転軸７８が連結されている。吸着器回転軸７８は、吸着器７２を回転させる回転駆動部材８０に接続されている。なお、本実施形態では、回転駆動部材８０が吸着器７２を変位させる駆動部材を構成している。
【０１９８】
このように構成される本実施形態の加湿器７０Ａは、空調ケース５２に対して脱着可能に構成されている。具体的には、加湿器７０Ａは、冷風導入部７１２を空調ケース５２の冷風用挿通穴５２６ａに挿通させ、且つ、温風導入部７１３を空調ケース５２の温風用挿通穴５２６ｂに挿通させた状態で、図示しない連結部材によって空調ケース５２に着脱可能となっている。なお、本実施形態の加湿器７０Ａは、第３実施形態と異なり、冷風導入部７１２の一部および温風導入部７１３の一部を除く部位が、空調ケース５２の外側に位置する。
【０１９９】
次に、本実施形態の加湿器７０Ａの作動について説明する。空調装置５０は、空調スイッチ１０１ａおよび加湿スイッチ１０１ｂの双方がオン状態に操作されると、空調制御装置１００が送風機、冷却器５４、および加熱器５６を作動させる。同時に、空調制御装置１００は、回転駆動部材８０によって吸着器７２を所定の位置に回転させて、車室内の加湿と水分回収とを所定時間おきに交互に実行する。
【０２００】
空調制御装置１００は、吸着器７２に対して水分を吸着させる水分回収時に、回転駆動部材８０に対して、図２２に示す水分回収位置に吸着器７２を回転させることを指示する制御信号を出力する。具体的には、回転駆動部材８０は、空気通路部７４０を介して冷風導入部７１２と除湿用導出部７１４とが連通し、側面壁部７４によって温風導入部７１３と加湿用導出部７１５とが閉塞される水分回収位置に吸着器７２を回転させる。
【０２０１】
これにより、冷却器５４で冷却された冷風が、吸着器７２に流入する。吸着器７２に流入した冷風は、空気中に含まれる水分が吸着器７２の吸着部７６で吸着されることで除湿される。そして、吸着器７２で水分が吸着された除湿空気は、除湿用導出部７１４および排気ダクトを介して加湿対象空間から離れた空間に排気される。
【０２０２】
一方、空調制御装置１００は、車室内の加湿時に、回転駆動部材８０に対して、図２３に示す加湿位置に吸着器７２を回転させることを指示する制御信号を出力する。具体的には、回転駆動部材８０は、空気通路部７４０を介して温風導入部７１３と加湿用導出部７１５とが連通すると共に、側面壁部７４によって冷風導入部７１２と除湿用導出部７１４とが閉塞される加湿位置に吸着器７２を回転させる。
【０２０３】
これにより、加熱器５６で加熱された温風が、吸着器７２に流入する。吸着器７２に流入した温風は、吸着器７２の吸着部７６から脱離した水分によって加湿される。そして、吸着器７２で加湿された加湿空気は、加湿用導出部７１５および加湿ダクトを介して加湿対象空間である車室内の上方側における乗員の顔付近に吹き出される。
【０２０４】
なお、空調装置５０は、加湿スイッチ１０１ｂがオフ状態に操作されると、空調制御装置１００が回転駆動部材８０によって吸着器７２を所定の位置に回転させて、車室内の加湿および水分回収を停止させる。この場合、例えば、回転駆動部材８０が、吸着器７２の側面壁部７４によって、各導入部７１２、７１３と各導出部７１４、７１５との連通が遮断される停止位置に吸着器７２を回転させる。
【０２０５】
以上説明した本実施形態の空調装置５０は、第３実施形態と共通の構成から奏される作用効果を第３実施形態と同様に得ることができる。特に、本実施形態の空調装置５０は、空調ケース５２に対して、加湿器７０Ａを着脱可能に構成されている。これによれば、加湿器７０Ａを後付可能なオプションとすることができる。
【０２０６】
（第４実施形態の変形例）
上述の第４実施形態では、空調ケース５２内部の空気通路が仕切部材５１によって上下に分割されたものに対して加湿器７０が取り付けられた例について説明したが、これに限定されない。空調装置５０は、例えば、空調ケース５２内部の空気通路が分割されていないものに対して加湿器７０が取り付けられた構成になっていてもよい。
【０２０７】
（第５実施形態）
次に、第５実施形態について、図２４〜図２７を参照して説明する。本実施形態の加湿器１６は、第１実施形態に対して、吸着器２０を直線的に変位させる駆動部材２６Ｂを採用している点が相違している。なお、本実施形態では、加湿装置１０を構成する送風ユニット１２および配風ユニット１４が第１実施形態と同様に構成されるため、その説明を省略する。
【０２０８】
図２４に示すように、本実施形態の加湿器１６は、外殻を構成する収容ケース１８Ｂ、収容ケース１８Ｂに収容された吸着器２０Ｂを含んで構成されている。収容ケース１８Ｂは、内部に吸着器２０が収容される収容部１８１Ｂ、冷風を導入する冷風導入部１８２Ｂ、温風を導入する温風導入部１８３Ｂ、除湿空気を導出する除湿用導出部１８４Ｂ、加湿空気を導出する加湿用導出部１８５Ｂを有している。
【０２０９】
本実施形態の収容部１８１Ｂは、外形状が略角柱状の形状となっており、その内部に略角柱状の空間が形成されている。収容部１８１Ｂには、冷風導入部１８２Ｂ、温風導入部１８３Ｂ、除湿用導出部１８４Ｂ、および加湿用導出部１８５Ｂが接続されている。
【０２１０】
冷風導入部１８２Ｂおよび温風導入部１８３Ｂは、互いに隣接すると共に同じ方向に延びている。冷風導入部１８２Ｂは、収容部１８１Ｂに冷風を導入するものであり、一端側が送風ケース１２２に接続され、他端側が収容部１８１Ｂに接続されている。また、温風導入部１８３Ｂは、収容部１８１に温風を導入するものであり、一端側が送風ケース１２２に接続され、他端側が収容部１８１Ｂに接続されている。
【０２１１】
除湿用導出部１８４Ｂおよび加湿用導出部１８５Ｂは、互いに隣接すると共に同じ方向に延びている。除湿用導出部１８４Ｂは、収容部１８１Ｂから除湿空気を導出するものであり、一端側が収容部１８１Ｂに接続され、他端側が排気ダクト１４４に接続されている。また、加湿用導出部１８５Ｂは、収容部１８１Ｂから加湿空気を導出するものであり、一端側が収容部１８１Ｂに接続され、他端側が加湿ダクト１４２に接続されている。
【０２１２】
本実施形態の収容ケース１８Ｂの収容部１８１Ｂは、収容部１８１Ｂに流入する冷風および温風の流入方向に交差する方向に吸着器２０Ｂを変位させることが可能に構成されている。換言すれば、本実施形態の収容部１８１Ｂは、冷風導入部１８２Ｂおよび温風導入部１８３Ｂの並び方向ＤＲｐに沿って吸着器２０Ｂを変位させることが可能に構成されている。
【０２１３】
また、本実施形態の収容部１８１Ｂには、吸着器２０Ｂに設けられた冷風遮断部１９１を格納するための冷風側格納部１８６、および温風遮断部１９２を格納するための温風側格納部１８７が設けられている。
【０２１４】
冷風側格納部１８６および温風側格納部１８７は、冷風導入部１８２Ｂおよび温風導入部１８３Ｂの並び方向ＤＲｐに沿って収容部１８１Ｂから外側に突き出るように構成されている。具体的には、冷風側格納部１８６は、収容部１８１Ｂにおける冷風が流入する空間を形成する部位から外側に突き出るように構成されている。また、温風側格納部１８７は、収容部１８１Ｂにおける温風が流入する空間を形成する部位から外側に突き出るように構成されている。
【０２１５】
本実施形態の収容ケース１８Ｂの収容部１８１Ｂには、吸着器２０Ｂが冷風導入部１８２Ｂおよび温風導入部１８３Ｂの並び方向ＤＲｐに変位可能に収容されている。吸着器２０Ｂは、外殻を構成する側面壁部２２Ｂ、側面壁部２２Ｂの内部に設けられた吸着部２３、冷風遮断部１９１、温風遮断部１９２を有している。
【０２１６】
側面壁部２２Ｂは、その内部に空気が流通可能な流通路２１Ｂを形成する略角筒状の部材で構成されている。側面壁部２２Ｂの両端部には、流通路２１Ｂに空気を流入させる空気流入口２１１Ｂ、および流通路２１Ｂから空気を流出させる空気流出口２１２Ｂが形成されている。なお、側面壁部２２Ｂは、空気流入口２１１Ｂおよび空気流出口２１２Ｂ以外の部位から空気が透過しないように、高いガスバリア性が発揮される厚みを有している。
【０２１７】
吸着部２３は、側面壁部２２Ｂの内部の流通路２１Ｂに設けられている。吸着部２３は、側面壁部２３Ｂと一体に構成されている。吸着部２３は、第１実施形態と同様に、表面に吸着物質が担持された波板状の部材を含んで構成されている。
【０２１８】
また、側面壁部２２Ｂの外周側には、冷風遮断部１９１および温風遮断部１９２が設けられている。冷風遮断部１９１は、側面壁部２２Ｂから冷風側格納部１８６に向けて突き出るように構成されている。
【０２１９】
冷風遮断部１９１は、流通路２１Ｂを介して温風導入部１８３Ｂと加湿用導出部１８５Ｂとが連通する位置に吸着器２０Ｂを変位させた際に、冷風導入部１８２Ｂと除湿用導出部１８４Ｂとを閉塞する閉塞部として機能する。なお、冷風遮断部１９１は、流通路２１Ｂを介して冷風導入部１８２Ｂと除湿用導出部１８４Ｂとが連通する位置に吸着器２０Ｂを変位させた際に、冷風側格納部１８６に格納される。
【０２２０】
また、温風遮断部１９２は、流通路２１Ｂを介して冷風導入部１８２Ｂと除湿用導出部１８４Ｂとが連通する位置に吸着器２０Ｂを変位させた際に、温風導入部１８３Ｂと加湿用導出部１８５Ｂとを閉塞する閉塞部として機能する。なお、温風遮断部１９２は、流通路２１Ｂを介して温風導入部１８３Ｂと加湿用導出部１８５Ｂとが連通する位置に吸着器２０Ｂを変位させた際に、温風側格納部１８７に格納される。
【０２２１】
ここで、本実施形態では、流通路２１Ｂを形成する側面壁部２２Ｂ、冷風遮断部１９１、および温風遮断部１９２が、射出成形等の成形技術によって一体の構造物として構成されている。
【０２２２】
本実施形態の吸着器２０は、駆動部材２６Ｂによって、流通路２１Ｂを介して冷風導入部１８２Ｂと除湿用導出部１８４Ｂとが連通する位置、および流通路２１Ｂを介して温風導入部１８３Ｂと加湿用導出部１８５Ｂとが連通する位置に変位可能になっている。
【０２２３】
本実施形態の駆動部材２６Ｂは、図２５に示すように、ステッピングモータ等で構成される電動モータ２６１と、電動モータ２６１からの出力を吸着器２０Ｂを変位させるための動力に変換する直動機構２６２を含んで構成されている。本実施形態の直動機構２６２は、吸着器２０Ｂの側面壁部２２Ｂに設けられた直線状に延びる従動ギア２６２ａ、および従動ギア２６２ａに噛み合う円盤状の駆動ギア２６２ｂを含んで構成されている。
【０２２４】
次に、本実施形態の加湿装置１０の作動について説明する。本実施形態の加湿装置１０は、加湿スイッチ３１ａがオン状態に操作されると、制御装置３０が送風機１２４を作動させると共に、冷温風生成機１２６のペルチェ素子１２６ａに通電する。同時に、制御装置３０は、駆動部材２６Ｂによって吸着器２０Ｂを所定の位置に変位させて、加湿対象空間ＴＳの加湿と水分回収とを所定時間おきに交互に実行する。
【０２２５】
本実施形態の制御装置３０は、吸着器２０Ｂに対して水分を吸着させる水分回収時に、駆動部材２６Ｂに対して、図２６で示す水分回収位置に吸着器２０Ｂを変位させることを指示する制御信号を出力する。具体的には、駆動部材２６Ｂは、流通路２１Ｂを介して冷風導入部１８２Ｂと除湿用導出部１８４Ｂとが連通すると共に、温風遮断部１９２によって温風導入部１８３Ｂと加湿用導出部１８５Ｂとが閉塞される水分回収位置に吸着器２０Ｂをスライド移動させる。
【０２２６】
これにより、送風ユニット１２で生成された冷風が、冷風導入部１８２Ｂを介して吸着器２０Ｂに流入する。吸着器２０Ｂに流入した冷風は、空気中に含まれる水分が吸着器２０Ｂの吸着部２３で吸着されることで除湿される。そして、吸着器２０Ｂで水分が吸着された除湿空気は、除湿用導出部１８４Ｂに導出された後、排気ダクト１４４を介して外部に排気される。
【０２２７】
一方、制御装置３０は、加湿対象空間ＴＳの加湿時に、駆動部材２６Ｂに対して、図２７で示す加湿位置に吸着器２０Ｂを変位させることを指示する制御信号を出力する。具体的には、駆動部材２６Ｂは、流通路２１Ｂを介して温風導入部１８３Ｂと加湿用導出部１８５Ｂとが連通すると共に、冷風遮断部１９１によって冷風導入部１８２Ｂと除湿用導出部１８４Ｂとが閉塞される加湿位置に吸着器２０Ｂをスライド移動させる。
【０２２８】
これにより、送風ユニット１２で生成された温風が、温風導入部１８３Ｂを介して吸着器２０Ｂに流入する。吸着器２０Ｂに流入した温風は、吸着器２０Ｂの吸着部２３から脱離した水分によって加湿される。そして、吸着器２０Ｂで加湿された加湿空気は、加湿用導出部１８５Ｂに導出された後、加湿ダクト１４２を介して加湿対象空間ＴＳに吹き出される。
【０２２９】
その他の構成は、第１実施形態と同様である。本実施形態の加湿器１６は、吸着器２０Ｂ自体を、従来まで別部品で構成されていた収容ケース１８Ｂの内部における空気の導入および導出を切り替える切替手段として機能させることができる。したがって、本実施形態の加湿器１６によれば、第１実施形態と同様に、簡素な構成で無給水加湿を実現することができる。
【０２３０】
ここで、本実施形態では、吸着器２０Ｂの側面壁部２２Ｂの内部に形成された流通路２１Ｂが、冷風導入部１８２Ｂおよび温風導入部１８３Ｂの一方と除湿用導出部１８４Ｂおよび加湿用導出部１８５Ｂの一方とを連通させる空気通路部を構成する。また、本実施形態では、冷風遮断部１９１および温風遮断部１９２が、冷風導入部１８２Ｂおよび温風導入部１８３Ｂの他方と除湿用導出部１８４Ｂおよび加湿用導出部１８５Ｂの他方とを閉塞する閉塞部を構成する。
【０２３１】
（第５実施形態の変形例）
上述の第５実施形態では、駆動部材２６Ｂが電動モータ２６１および直動機構２６２を含んで構成される例について説明したが、これに限定されない。駆動部材２６Ｂは、吸着器２０Ｂを水分回収位置と加湿位置とに変位させることが可能であれば、例えば、電磁力によって吸着器２０Ｂの位置を変位させるソレノイド式の電磁機器で構成されていてもよい。このことは第５実施形態以外の実施形態においても同様である。
【０２３２】
（第６実施形態）
次に、第６実施形態について、図２８〜図３０を参照して説明する。本実施形態では、収容ケース１８Ｂの収容部１８１Ｂに冷風側格納部１８６および温風側格納部１８７が設けられていない点が第５実施形態と相違している。
【０２３３】
図２８に示すように、本実施形態の収容部１８１Ｂには、その内壁面に後述する冷風遮断部１９１および温風遮断部１９２の摺動ピン１９５、１９６を摺動させるためのガイドレール１８８、１８９が設けられている。
【０２３４】
続いて、本実施形態の冷風遮断部１９１および温風遮断部１９２は、吸着器２０Ｂの変位に対応して傾動するように、その一端側がヒンジ１９３、１９４を介して吸着器２０Ｂに連結されている。このヒンジ１９３、１９４は、冷風遮断部１９１および温風遮断部１９２における一端側に設けられている。本実施形態の流通路２１Ｂ、冷風遮断部１９１、および温風遮断部１９２は、ヒンジ１９３、１９４で連結されることによって一体の構造物として構成されている。
【０２３５】
また、冷風遮断部１９１および温風遮断部１９２には、ヒンジ１９３、１９４が設けられた一端側の反対に位置する他端側に、摺動ピン１９５、１９６が設けられている。摺動ピン１９５、１９６は、収容部１８１Ｂに設けられたガイドレール１８８、１８９に対して摺動可能に構成されている。この摺動ピン１９５、１９６によって、冷風遮断部１９１および温風遮断部１９２は、その他端側の端部が収容部１８１Ｂの内壁面側に位置付けられる。
【０２３６】
このように構成される本実施形態の加湿装置１０は、水分回収時に、制御装置３０が駆動部材２６Ｂに対して、図２９で示す水分回収位置に吸着器２０Ｂを変位させることを指示する制御信号を出力する。具体的には、駆動部材２６Ｂは、流通路２１Ｂを介して冷風導入部１８２Ｂと除湿用導出部１８４Ｂとが連通する水分回収位置に吸着器２０Ｂをスライド移動させる。この際、冷風遮断部１９１が収容部１８１Ｂの内壁面に沿って延びるよう傾動し、温風遮断部１９２が温風導入部１８３Ｂおよび加湿用導出部１８５Ｂを閉塞するように傾動する。これにより、水分回収時には、流通路２１Ｂを介して冷風導入部１８２Ｂと除湿用導出部１８４Ｂとが連通すると共に、温風遮断部１９２によって温風導入部１８３Ｂと加湿用導出部１８５Ｂとが閉塞される。
【０２３７】
具体的には、水分回収時には、送風ユニット１２で生成された冷風が、冷風導入部１８２Ｂを介して吸着器２０Ｂに流入する。吸着器２０Ｂに流入した冷風は、空気中に含まれる水分が吸着器２０Ｂの吸着部２３で吸着されることで除湿される。そして、吸着器２０Ｂで水分が吸着された除湿空気は、除湿用導出部１８４Ｂに導出された後、排気ダクト１４４を介して外部に排気される。
【０２３８】
一方、制御装置３０は、加湿対象空間ＴＳの加湿時に、駆動部材２６Ｂに対して、図３０で示す加湿位置に吸着器２０Ｂを変位させることを指示する制御信号を出力する。具体的には、駆動部材２６Ｂは、流通路２１Ｂを介して温風導入部１８３Ｂと加湿用導出部１８５Ｂとが連通する加湿位置に吸着器２０Ｂをスライド移動させる。この際、温風遮断部１９２が収容部１８１Ｂの内壁面に沿って延びるよう傾動し、冷風遮断部１９１が冷風導入部１８２Ｂおよび除湿用導出部１８４Ｂを閉塞するように傾動する。これにより、加湿対象空間ＴＳの加湿時には、流通路２１Ｂを介して温風導入部１８３Ｂと加湿用導出部１８５Ｂとが連通すると共に、冷風遮断部１９１によって冷風導入部１８２Ｂと除湿用導出部１８４Ｂとが閉塞される。
【０２３９】
具体的には、送風ユニット１２で生成された温風が、温風導入部１８３Ｂを介して吸着器２０Ｂに流入する。吸着器２０Ｂに流入した温風は、吸着器２０Ｂの吸着部２３から脱離した水分によって加湿される。そして、吸着器２０Ｂで加湿された加湿空気は、加湿用導出部１８５Ｂに導出された後、加湿ダクト１４２を介して加湿対象空間ＴＳに吹き出される。
【０２４０】
その他の構成は、第５実施形態と同様である。本実施形態の加湿器１６は、吸着器２０Ｂ自体を、従来まで別部品で構成されていた収容ケース１８Ｂの内部における空気の導入および導出を切り替える切替手段として機能させることができる。したがって、本実施形態の加湿器１６によれば、第１実施形態と同様に、簡素な構成で無給水加湿を実現することができる。
【０２４１】
特に、本実施形態の加湿器１６は、冷風遮断部１９１および温風遮断部１９２が吸着器２０Ｂの変位に対応して傾動するように構成されているので、収容部１８１Ｂに対して冷風側格納部１８６および温風側格納部１８７を設ける必要がない。このことは、加湿器１６の体格の小型化に大きく寄与する。
【０２４２】
（他の実施形態）
以上、本開示の代表的な実施形態について説明したが、本開示は、上述の実施形態に限定されることなく、例えば、以下のように種々変形可能である。
【０２４３】
上述の第１、第２、第５、第６実施形態では、冷温風生成機１２６が、ペルチェ素子１２６ａ、吸熱フィン１２６ｂ、放熱フィン１２６ｃで構成される例について説明したが、これに限定されない。冷温風生成機１２６は、冷風および温風を生成可能なものであれば、ペルチェ素子１２６ａ、吸熱フィン１２６ｂ、放熱フィン１２６ｃで構成されるもの以外の他のものを採用することができる。
【０２４４】
上述の第１、第２、第５、第６実施形態では、加湿器１６が送風ユニット１２および配風ユニット１４と別部材として構成される例について説明したが、これに限定されない。加湿器１６は、送風ユニット１２および配風ユニット１４の少なくとも一方と一体の部材として構成されていてもよい。
【０２４５】
上述の第１、第２実施形態の如く、加湿器１６は、加湿および水分回収の停止時に、図１の二点鎖線で示す停止位置に、吸着器２０を回転させる構成となっていることが望ましいが、これに限定されない。加湿器１６は、加湿および水分回収の停止時に、例えば、図１の実線または一点鎖線で示す位置に、吸着器２０を回転させる構成となっていてもよい。
【０２４６】
上述の第３実施形態では、冷風通路５２２および温風通路５２１の通路開度の調整、および各吹出開口部５２４ａ〜５２４ｃの開閉をロータリドア６０で実施する空調装置５０を例示したが、これに限定されない。空調装置５０は、冷風通路５２２および温風通路５２１の通路開度の調整、および各吹出開口部５２４ａ〜５２４ｃの開閉の一方が、ロータリドア６０とは別の部材で実施される構成となっていてもよい。
【０２４７】
上述の第３実施形態では、ロータリドア６０の内部に加湿器７０の吸着器７２が配置される例について説明したが、これに限定されない。吸着器７２は、冷風通路５２２および温風通路５２１と各吹出開口部５２４ａ〜５２４ｃとの間に配置されていれば、ロータリドア６０の内部に配置されていなくてもよい。
【０２４８】
上述の第３実施形態の如く、加湿器７０は、加湿および水分回収の停止時に、図２０に示す停止位置に、吸着器７２を回転させる構成となっていることが望ましいが、これに限定されない。加湿器７０は、加湿および水分回収の停止時に、例えば、図１８または図１９に示す位置に、吸着器７２を回転させる構成となっていてもよい。
【０２４９】
上述の第３、第４実施形態では、空調装置５０を車両用空調装置に適用した例について説明したが、これに限定されない。空調装置５０は、例えば、家屋等の室内を空調する室内空調装置に適用可能である。
【０２５０】
上述の実施形態において、実施形態を構成する要素は、特に必須であると明示した場合および原理的に明らかに必須であると考えられる場合等を除き、必ずしも必須のものではないことは言うまでもない。
【０２５１】
上述の実施形態において、実施形態の構成要素の個数、数値、量、範囲等の数値が言及されている場合、特に必須であると明示した場合および原理的に明らかに特定の数に限定される場合等を除き、その特定の数に限定されない。
【０２５２】
上述の実施形態において、構成要素等の形状、位置関係等に言及するときは、特に明示した場合および原理的に特定の形状、位置関係等に限定される場合等を除き、その形状、位置関係等に限定されない。
【０２５３】
（まとめ）
上述の実施形態の一部または全部で示された第１の観点によれば、加湿器は、水分を吸着して脱離することが可能に構成された筒状の吸着器と、吸着器の流通路の両端部の位置が変位するように、吸着器を回転させる回転駆動部材と、を備える。回転駆動部材は、加湿時に、流通路を介して温風導入部と加湿用導出部とが連通すると共に、吸着器の側面壁部によって冷風導入部と除湿用導出部との連通が遮断される加湿位置に吸着器を回転させる。そして、回転駆動部材は、水分回収時に、流通路を介して冷風導入部と除湿用導出部とが連通すると共に、吸着器の側面壁部によって温風導入部と加湿用導出部との連通が遮断される水分回収位置に吸着器を回転させる。
【０２５４】
また、第２の観点によれば、加湿器は、回転駆動部材は、加湿および水分回収の停止時に、吸着器の側面壁部によって、温風導入部と加湿用導出部との連通が遮断されると共に、冷風導入部と除湿用導出部との連通が遮断される停止位置に吸着器を回転させる。
【０２５５】
これによると、吸着器自体を、収容ケースからの除湿空気および加湿空気の導出を停止させる停止手段として機能させることができるので、より一層簡素な構成で無給水加湿を実現することが可能となる。
【０２５６】
また、第３の観点によれば、加湿器は、温風導入部および加湿用導出部が、収容ケースにおける吸着器の回転中心を挟んで対向する部位に形成されている。冷風導入部および除湿用導出部は、収容ケースにおける吸着器の回転中心を挟んで対向する部位に形成されている。そして、流通路は、吸着器の回転中心を跨ぐように直線状に延びている。
【０２５７】
このように、吸着器内部の流通路が吸着器の回転中心を跨ぐように直線状に延びる構成とすれば、流通路における通風抵抗を抑制しつつ、流通路の長さを確保して、吸着器における水分の吸着や脱離するためのスペースを拡大させることが可能となる。
【０２５８】
上述の実施形態の一部または全部で示された第４の観点によれば、空調装置は、空調ケースと、冷却器と、加熱器と、加湿器と、を備える。加湿器は、水分を吸着して脱離することが可能に構成された筒状の吸着器と、流通路の両端部の位置が変位するように、吸着器を回転させる回転駆動部材と、を含んで構成されている。
【０２５９】
回転駆動部材は、室内の加湿時に、流通路を介して温風通路と加湿用開口部とが連通すると共に、吸着器の側面壁部によって冷風通路と除湿用開口部との連通が遮断される加湿位置に吸着器を回転させる。
【０２６０】
そして、回転駆動部材は、吸着器に対して水分を吸着させる水分回収時に、流通路を介して冷風通路と除湿用開口部とが連通すると共に、吸着器の側面壁部によって温風通路と加湿用開口部との連通が遮断される水分回収位置に吸着器を回転させる。
【０２６１】
また、第５の観点によれば、空調装置は、冷風通路および温風通路と各吹出開口部との間に、冷風通路および温風通路の通路開度を調整する円弧状の調整板部および複数の吹出開口部を開閉する円弧状の開閉板部を含んで構成されるロータリドアが配置されている。
【０２６２】
吸着器は、冷風通路を流れる冷風と温風通路を流れる温風とを混合させる混合空間が確保されるように、ロータリドアの内部に配置されている。調整板部には、吸着器を回転させた際に流通路の一端部に設けられた空気流入口と重なり合う部位に、表裏を貫通する調整側貫通穴が形成されている。そして、開閉板部には、吸着器を回転させた際に流通路の他端部に設けられた空気流出口と重なり合う部位に、表裏を貫通する開閉側貫通穴が形成されている。
【０２６３】
このように、吸着器がロータリドアの内部に収容される構成とすれば、空調ケースの内部に吸着器を収容するための空間を別に用意する必要がない。このため、加湿器の追加に伴う空調装置の大型化を抑制することができる。
【０２６４】
また、ロータリドアの調整板部および開閉板部には、吸着器を回転させた際に、流通路の空気流入口および空気流出口に重なり合う部位に表裏を貫通する貫通穴が形成されている。このように、加湿器は、ロータリドアの調整板部および開閉板部によって吸着器の流通路が閉塞されることがないので、室内の空調を行いつつ、室内の加湿を実施することができる。
【０２６５】
上述の実施形態の一部または全部で示された第６の観点によれば、加湿器は、水分を吸着して脱離することが可能に構成された吸着器と、吸着器を変位させる駆動部材と、を備える。駆動部材は、加湿時に、吸着器の空気流通部を介して温風導入部と加湿用導出部とが連通すると共に、吸着器の閉塞部によって冷風導入部と除湿用導出部との連通が遮断される加湿位置に吸着器を変位させる。そして、駆動部材は、水分回収時に、吸着器の空気通路部を介して冷風導入部と除湿用導出部とが連通すると共に、吸着器の閉塞部によって温風導入部と加湿用導出部との連通が遮断される水分回収位置に吸着器を回転させる。
【０２６６】
上述の実施形態の一部または全部で示された第７の観点によれば、空調装置は、空調ケースと、冷却器と、加熱器と、加湿器と、を備える。加湿器は、水分を吸着して脱離することが可能に構成された吸着器と、吸着器を変位させる駆動部材と、を備える。駆動部材は、加湿時に、吸着器の空気流通部を介して温風導入部と加湿用導出部とが連通すると共に、吸着器の閉塞部によって冷風導入部と除湿用導出部との連通が遮断される加湿位置に吸着器を変位させる。そして、駆動部材は、水分回収時に、吸着器の空気通路部を介して冷風導入部と除湿用導出部とが連通すると共に、吸着器の閉塞部によって温風導入部と加湿用導出部との連通が遮断される水分回収位置に吸着器を回転させる。
【符号の説明】
【０２６７】
１６      加湿器
１８      収容ケース
１８２    冷風導入部
１８３    温風導入部
１８４    除湿用導出部
１８５    加湿用導出部
２０      吸着器
２１      流通路
２２      側面壁部
２６      回転駆動部材
【図１】
2018162963.tif 000003
【図２】
2018162963.tif 000004
【図３】
2018162963.tif 000005
【図４】
2018162963.tif 000006
【図５】
2018162963.tif 000007
【図６】
2018162963.tif 000008
【図７】
2018162963.tif 000009
【図８】
2018162963.tif 000010
【図９】
2018162963.tif 000011
【図１０】
2018162963.tif 000012
【図１１】
2018162963.tif 000013
【図１２】
2018162963.tif 000014
【図１３】
2018162963.tif 000015
【図１４】
2018162963.tif 000016
【図１５】
2018162963.tif 000017
【図１６】
2018162963.tif 000018
【図１７】
2018162963.tif 000019
【図１８】
2018162963.tif 000020
【図１９】
2018162963.tif 000021
【図２０】
2018162963.tif 000022
【図２１】
2018162963.tif 000023
【図２２】
2018162963.tif 000024
【図２３】
2018162963.tif 000025
【図２４】
2018162963.tif 000026
【図２５】
2018162963.tif 000027
【図２６】
2018162963.tif 000028
【図２７】
2018162963.tif 000029
【図２８】
2018162963.tif 000030
【図２９】
2018162963.tif 000031
【図３０】
2018162963.tif 000032